(57)【特許請求の範囲】
【請求項１】
無線通信の方法であって、
モバイル・デバイスが設定可能な時間の長さにわたってデータを送信および／または受信しない非明示的なシグナルに基づいて、前記モバイル・デバイスのＤＲＸ設定をアクティブにすることと、
前記モバイル・デバイスの第１のスリープ・モードにおいて、第１の不連続受信（ＤＲＸ）サイクル・オフ期間と、第１のＤＲＸサイクル・オン期間との間でサイクルすることと、
前記第１のスリープ・モードにおいて、第１の不連続送信（ＤＴＸ）サイクル・オフ期間と、第１のＤＴＸサイクル・オン期間との間でサイクルすることと、
前記第１のスリープ・モードから前記モバイル・デバイスの第２のスリープ・モードに移行することと、
前記第２のスリープ・モードにおいて、第２のＤＲＸサイクル・オフ期間と、第２のＤＲＸサイクル・オン期間との間でサイクルすることと、ここで、前記第２のＤＲＸサイクル・オン期間は、前記第１のＤＲＸサイクル・オン期間とは異なる持続時間を有する、
前記第２のスリープ・モードにおいて、第２のＤＴＸサイクル・オフ期間と、第２のＤＴＸサイクル・オン期間との間でサイクルすることと、ここで、前記第２のＤＴＸサイクル・オン期間は、前記第１のＤＴＸサイクル・オン期間とは異なる持続時間を有する、
前記ＤＲＸサイクル・オン期間中にのみ、基地局からの伝送をモニタすることと、
前記ＤＴＸサイクル・オフ期間中、前記モバイル・デバイスのラジオ周波数生成をオフにすることとを備え、
前記第２のＤＲＸサイクル・オン期間と前記第２のＤＲＸサイクル・オフ期間とが加えられてなる第２のＤＲＸサイクルは、前記第１のＤＲＸサイクル・オン期間と前記第１のＤＲＸサイクル・オフ期間とが加えられてなる第１のＤＲＸサイクルよりも長い、方法。
【請求項２】
前記ＤＲＸサイクル・オン期間と、前記ＤＲＸサイクル・オフ期間と、前記ＤＴＸサイクル・オン期間と、前記ＤＴＸサイクル・オフ期間とのうちの少なくとも１つは設定可能である請求項１に記載の方法。
【請求項３】
前記ＤＲＸサイクル・オン期間か、前記ＤＲＸサイクル・オフ期間か、前記ＤＴＸサイクル・オン期間か、前記ＤＴＸサイクル・オフ期間かのうちの少なくとも１つの長さを、前記第１のスリープ・モードおよび前記第２のスリープ・モードのそれぞれのチャネル品質インデクス（ＣＱＩ）属性に応じて設定すること
を更に備える請求項１に記載の方法。
【請求項４】
無線通信システムにおいて動作可能な装置であって、
メモリと、
前記メモリに結合された少なくとも１つのプロセッサであって、
モバイル・デバイスが設定可能な時間の長さにわたってデータを送信および／または受信しない非明示的なシグナルに基づいて、前記モバイル・デバイスのＤＲＸ設定をアクティブにし、
前記モバイル・デバイスの第１のスリープ・モードにおいて、第１の不連続受信（ＤＲＸ）サイクル・オフ期間と、第１のＤＲＸサイクル・オン期間との間でサイクルし、
前記第１のスリープ・モードにおいて、第１の不連続送信（ＤＴＸ）サイクル・オフ期間と、第１のＤＴＸサイクル・オン期間との間でサイクルし、
前記第１のスリープ・モードから前記モバイル・デバイスの第２のスリープ・モードに移行し、
前記第２のスリープ・モードにおいて、第２のＤＲＸサイクル・オフ期間と、第２のＤＲＸサイクル・オン期間との間でサイクルし、ここで、前記第２のＤＲＸサイクル・オン期間は、前記第１のＤＲＸサイクル・オン期間とは異なる持続時間を有する、
前記第２のスリープ・モードにおいて、第２のＤＴＸサイクル・オフ期間と、第２のＤＴＸサイクル・オン期間との間でサイクルし、ここで、前記第２のＤＴＸサイクル・オン期間は、前記第１のＤＴＸサイクル・オン期間とは異なる持続時間を有する、
前記ＤＲＸサイクル・オン期間中にのみ、基地局からの伝送をモニタし、
前記ＤＴＸサイクル・オフ期間中、前記モバイル・デバイスのラジオ周波数生成をオフにする
ように構成された少なくとも１つのプロセッサと
を備え、
前記第２のＤＲＸサイクル・オン期間と前記第２のＤＲＸサイクル・オフ期間とが加えられてなる第２のＤＲＸサイクルは、前記第１のＤＲＸサイクル・オン期間と前記第１のＤＲＸサイクル・オフ期間とが加えられてなる第１のＤＲＸサイクルよりも長い、装置。
【請求項５】
前記ＤＲＸサイクル・オン期間と、前記ＤＲＸサイクル・オフ期間と、前記ＤＴＸサイクル・オン期間と、前記ＤＴＸサイクル・オフ期間とのうちの少なくとも１つは設定可能である請求項４に記載の装置。
【請求項６】
前記少なくとも１つのプロセッサは、
前記ＤＲＸサイクル・オン期間か、前記ＤＲＸサイクル・オフ期間か、前記ＤＴＸサイクル・オン期間か、前記ＤＴＸサイクル・オフ期間かのうちの少なくとも１つの長さを、前記第１のスリープ・モードおよび前記第２のスリープ・モードのそれぞれのチャネル品質インデクス（ＣＱＩ）属性に応じて設定する
ように更に構成される請求項４に記載の装置。
【請求項７】
無線ネットワークにおける無線通信のためのコンピュータ読取可能な記憶媒体であって、前記コンピュータ読取可能な記憶媒体は、プログラム・コードを記憶し、前記プログラム・コードは、
モバイル・デバイスが設定可能な時間の長さにわたってデータを送信および／または受信しない非明示的なシグナルに基づいて、前記モバイル・デバイスのＤＲＸ設定をアクティブにするためのプログラム・コードと、
前記モバイル・デバイスの第１のスリープ・モードにおいて、第１の不連続受信（ＤＲＸ）サイクル・オフ期間と、第１のＤＲＸサイクル・オン期間との間でサイクルするためのプログラム・コードと、
前記第１のスリープ・モードにおいて、第１の不連続送信（ＤＴＸ）サイクル・オフ期間と、第１のＤＴＸサイクル・オン期間との間でサイクルするためのプログラム・コードと、
前記第１のスリープ・モードから前記モバイル・デバイスの第２のスリープ・モードに移行するためのプログラム・コードと、
前記第２のスリープ・モードにおいて、第２のＤＲＸサイクル・オフ期間と、第２のＤＲＸサイクル・オン期間との間でサイクルするためのプログラム・コードと、ここで、前記第２のＤＲＸサイクル・オン期間は、前記第１のＤＲＸサイクル・オン期間とは異なる持続時間を有する、
前記第２のスリープ・モードにおいて、第２のＤＴＸサイクル・オフ期間と、第２のＤＴＸサイクル・オン期間との間でサイクルするためのプログラム・コードと、ここで、前記第２のＤＴＸサイクル・オフ−オン期間は、前記第１のＤＴＸサイクル・オン期間とは異なる持続時間を有する、
前記ＤＲＸサイクル・オン期間中にのみ、基地局からの伝送をモニタするためのプログラム・コードと、
前記ＤＴＸサイクル・オフ期間中、前記モバイル・デバイスのラジオ周波数生成をオフにするためのプログラム・コードとを備え、
前記第２のＤＲＸサイクル・オン期間と前記第２のＤＲＸサイクル・オフ期間とが加えられてなる第２のＤＲＸサイクルは、前記第１のＤＲＸサイクル・オン期間と前記第１のＤＲＸサイクル・オフ期間とが加えられてなる第１のＤＲＸサイクルよりも長い、コンピュータ読取可能な記憶媒体。
【請求項８】
前記プログラム・コードは、
前記ＤＲＸサイクル・オン期間か、前記ＤＲＸサイクル・オフ期間か、前記ＤＴＸサイクル・オン期間か、前記ＤＴＸサイクル・オフ期間かのうちの少なくとも１つの長さを、前記第１のスリープ・モードおよび前記第２のスリープ・モードのそれぞれのチャネル品質インデクス（ＣＱＩ）属性に応じて設定するためのプログラム・コード
を更に備える、請求項７に記載のコンピュータ読取可能な記憶媒体。
【請求項９】
無線通信のための装置であって、
少なくとも１つのプロセッサと、
前記少なくとも１つのプロセッサと通信する少なくとも１つのメモリと
を備え、前記少なくとも１つのプロセッサは、
モバイル・デバイスが設定可能な時間の長さにわたってデータを送信および／または受信しない非明示的なシグナルに基づいて、前記モバイル・デバイスのＤＲＸ設定をアクティブにする手段と、
前記モバイル・デバイスの第１のスリープ・モードにおいて、第１の不連続受信（ＤＲＸ）サイクル・オフ期間と、第１のＤＲＸサイクル・オン期間との間でサイクルする手段と、
前記第１のスリープ・モードにおいて、第１の不連続送信（ＤＴＸ）サイクル・オフ期間と、第１のＤＴＸサイクル・オン期間との間でサイクルする手段と、
前記第１のスリープ・モードから前記モバイル・デバイスの第２のスリープ・モードに移行する手段と、
前記第２のスリープ・モードにおいて、第２のＤＲＸサイクル・オフ期間と、第２のＤＲＸサイクル・オン期間との間でサイクルする手段と、ここで、前記第２のＤＲＸサイクル・オン期間は、前記第１のＤＲＸサイクル・オン期間とは異なる持続時間を有する、
前記第２のスリープ・モードにおいて、第２のＤＴＸサイクル・オフ期間と、第２のＤＴＸサイクル・オン期間との間でサイクルする手段と、ここで、前記第２のＤＴＸサイクル・オフ期間は、前記第１のＤＴＸサイクル・オフ−オン期間とは異なる持続時間を有する、
前記ＤＲＸサイクル・オン期間中にのみ、基地局からの伝送をモニタする手段と、
前記ＤＴＸサイクル・オフ期間中、前記モバイル・デバイスのラジオ周波数生成をオフにする手段とを備え、
前記第２のＤＲＸサイクル・オン期間と前記第２のＤＲＸサイクル・オフ期間とが加えられてなる第２のＤＲＸサイクルは、前記第１のＤＲＸサイクル・オン期間と前記第１のＤＲＸサイクル・オフ期間とが加えられてなる第１のＤＲＸサイクルよりも長い、装置。
【請求項１０】
前記少なくとも１つのプロセッサは、
前記ＤＲＸサイクル・オン期間か、前記ＤＲＸサイクル・オフ期間か、前記ＤＴＸサイクル・オン期間か、前記ＤＴＸサイクル・オフ期間かのうちの少なくとも１つの長さを、前記第１のスリープ・モードおよび前記第２のスリープ・モードのそれぞれのチャネル品質インデクス（ＣＱＩ）属性に応じて設定する手段
を更に備える請求項９に記載の装置。
【請求項１１】
前記第２のＤＲＸサイクル・オフ期間は、前記第１のＤＲＸサイクル・オフ期間とは異なる持続時間である、請求項１に記載の方法。
【請求項１２】
前記第２のＤＲＸサイクル・オフ期間は、前記第１のＤＲＸサイクル・オフ期間とは異なる持続時間である、請求項４に記載の装置。
【請求項１３】
前記第２のＤＲＸサイクル・オフ期間は、前記第１のＤＲＸサイクル・オフ期間とは異なる持続時間である、請求項７に記載のコンピュータ読取可能な記憶媒体。
【請求項１４】
前記第２のＤＲＸサイクル・オフ期間は、前記第１のＤＲＸサイクル・オフ期間とは異なる持続時間である、請求項９に記載の装置。
【発明の詳細な説明】
【関連出願に対する相互参照】
【０００１】
本願は、２００７年１月１１日に出願され、"A METHOD AND APPARATUS FOR USING DTX-DRX MODES IN A WIRELESS COMMUNICATION SYSTEM"と題され、その全体が参照によって本明細書に組み込まれている米国仮出願６０／８８４，６０４号、および、２００７年２月５日に出願され、"A METHOD AND APPARATUS FOR USING DTX AND DRX IN A WIRELESS COMMUNICATION SYSTEM"と題され、その全体が参照によって本明細書に組み込まれている米国仮出願６０／８８８，２８０号の利益を主張する。
【技術分野】
【０００２】
以下の記述は、一般に、無線通信に関し、特に、無線通信システムにおける通信デバイスによる電力消費を低減するために、スリープ・モードを変えることを利用することに関する。
【背景技術】
【０００３】
無線通信システムは、さまざまなタイプの通信を提供するために広く用いられており、例えば、音声および／またはデータは、そのような無線通信システムによって提供されうる。一般的な無線通信システムまたはネットワークは、複数のユーザに、１または複数の共有リソース（例えば、帯域幅、送信電力等）に対するアクセスを提供することができる。例えば、システムは、例えば周波数分割多重化（ＦＤＭ）システム、時分割多重化（ＴＤＭ）システム、符号分割多重化（ＣＤＭ）システム、第３世代パートナシップ計画（３ＧＰＰ）ロング・ターム・エボリューション（ＬＴＥ）システム、直交周波数分割多重化（ＯＦＤＭ）、およびその他のようなさまざまな多元接続技術を用いる。
【０００４】
一般に、無線多元接続通信システムは、複数のモバイル・デバイスのための通信を同時にサポートすることができる。おのおののモバイル・デバイスは、順方向リンクおよび逆方向リンクにおける送信を介して１または複数の基地局と通信することができる。順方向リンク（すなわちダウンリンク）は、基地局からモバイル・デバイスへの通信リンクを称し、逆方向リンク（すなわちアップリンク）は、モバイル・デバイスから基地局への通信リンクを称する。この通信リンクは、単一入力単一出力システム、複数入力単数出力システム、あるいは、複数入力複数出力（ＭＩＭＯ）システムでありうる。
【０００５】
例えば、ＭＩＭＯシステムは、データ送信のために、複数（ＮＴ個）の送信アンテナと、複数（ＮＲ個）の受信アンテナとを用いることができる。ＮＴ個の送信アンテナおよびＮＲ個の受信アンテナによって形成されるＭＩＭＯチャネルは、ＮＳ個の独立チャネルへ分解されうる。それらは、空間チャネルとも称される。ここで、ＮＳ≦ｍｉｎ｛ＮＴ，ＮＲ｝である。ＮＳ個の独立チャネルのおのおのは、ディメンションに相当しうる。ＭＩＭＯシステムは、複数の送信アンテナおよび受信アンテナによって生成される追加のディメンションが利用される場合、改善されたパフォーマンス（例えば、高いスループットおよび／または高い信頼性）を与えることができる。
【０００６】
ＭＩＭＯシステムは、時分割二重化（ＴＤＤ）システムおよび周波数分割二重化（ＦＤＤ）システムをサポートする。ＴＤＤシステムでは、順方向リンクおよび逆方向リンクによる送信は、相互（reciprocity）原理によって、逆方向リンク・チャネルからの順方向リンク・チャネルの推定が可能となるように、同じ周波数領域でありうる。これによって、アクセス・ポイントは、アクセス・ポイントにおいて複数のアンテナが利用可能である場合、順方向リンクにおける送信ビームフォーミング・ゲインを抽出できるようになる。
【０００７】
無線通信システムはしばしば、有効範囲領域を提供する１または複数の基地局を用いる。一般的な基地局は、ブロードキャスト・サービス、マルチキャスト・サービス、および／または、ユニキャスト・サービスのため、複数のデータ・ストリームを送信することができる。ここでは、データ・ストリームは、モバイル・デバイスに興味のある独立した受信でありうるデータのストリームでありうる。そのような基地局の有効範囲領域内のモバイル・デバイスは、合成ストリームによって搬送される１つ、１つより多い、あるいはすべてのデータ・ストリームを受信するために使用されうる。同様に、モバイル・デバイスは、基地局あるいは別のモバイル・デバイスへデータを送信することができる。
【０００８】
一般に、モバイル・デバイスは、基地局と、および／または、基地局を介して他のモバイル・デバイスと通信している間のみならず、電源が投入されている間、電力（例えば、バッテリ電力）を利用する。モバイル・デバイスによって消費される電力量は、モバイル・デバイスの構成、および／または、モバイル・デバイスによって実行されている機能（例えば、動作）に部分的に依存しうる。モバイル・デバイスによって利用される電力量を低減することは望ましい。なぜなら、そのような低減によって、バッテリ寿命が延長され、モバイル・デバイスおよびバッテリを利用するコストが低減されるからである。
【発明の概要】
【０００９】
以下は、１または複数の実施形態の基本的な理解を与えるため、そのような実施形態の簡単な概要を示す。この概要は、考慮されるすべての実施形態の広範な概観ではなく、それらすべての実施形態の重要要素や決定的要素を特定することでも、これら何れかあるいはすべての実施形態の範囲を線引きすることも意図されていない。その唯一の目的は、１または複数の実施形態のいくつかの概念を、後に示されるより詳細な記述に対する前置きとして、簡単な形式で表すことである。
【００１０】
１または複数の実施形態およびそれに対応する開示にしたがって、さまざまな局面が、通信デバイス（例えば、モバイル・デバイス）においてさまざまなスリープ・モードを提供することによって、通信デバイスにおける電力消費の低減を容易にすることに関連して説明される。モバイル・デバイスは、予め定められたスリープ・モード基準に部分的に基づいて、所望のスリープ・モードの選択および／または切換を容易にすることができる。スリープ・モードは、例えば、非スリープ・モード、ライト・スリープ・モード、および／または、ディープ・スリープ・モードを含むことができる。モバイル・デバイスは、予め定められたスリープ・モード基準に部分的に基づいて、条件が満たされているかを判定するために、例えば、明示的なシグナル（例えば、スリープ・モードの変化を指示する基地局からのメッセージ）、非明示的なシグナル（例えば、予め定められた期間、モバイル・デバイスと基地局との間でデータ交換がないこと）、現在のスリープ・モード状態、および／または、利用可能なスリープ・モード状態のようなスリープ・モード移行を決定することに関連する情報を評価するために、スリープ・モード・コントローラと連携して動作するアナライザを適用することができる。これによって、異なるスリープ・モードへの移行が実行される。そのような条件が満たされる場合、スリープ・モード・コントローラは、モバイル・デバイスによる電力消費の低減を容易にするために、現在のスリープ・モードから、別のスリープ・モードへの移行を促すことができる。
【００１１】
関連する局面によれば、本明細書では、モバイル・デバイスに関連するスループ・モードの選択を容易にする方法が記載される。この方法は、スリープ・モードの選択を容易にするためのシグナリングを含みうる。さらに、この方法は、予め定められたスリープ・モード基準に部分的に基づいてスリープ・モードを選択することを備える。
【００１２】
別の局面は、無線通信装置に関する。無線通信装置は、予め定められたスリープ・モード基準に部分的に基づいてスリープ・モードを選択することに関連する命令群を保持するメモリを含むことができる。さらに、無線通信装置は、メモリに接続され、メモリに保持された命令群を実行するように構成されたプロセッサを含みうる。
【００１３】
また、別の局面は、スリープ・モードの選択を容易にする無線通信装置に関する。無線通信装置は、スリープ・モードの選択を容易にするようにシグナリングする手段を含みうる。さらに、無線通信装置は、予め定められたスリープ・モード基準に部分的に基づいてスリープ・モードを選択する手段を備える。
【００１４】
また、別の局面は、第１のスリープ・モードから別のスリープ・モードへの移行を促すようにシグナリングし、予め定められたスリープ・モード基準に部分的に基づいてスリープ・モードを選択するための機械実行可能命令群を格納して有している機械読取可能媒体に関する。
【００１５】
別の局面によれば、無線通信システムにおける装置は、プロセッサを含む。このプロセッサは、条件が満たされた場合、予め定められたスリープ・モード基準に部分的に基づいて、スリープ・モードを選択するようシグナルするように構成されうる。さらに、プロセッサは、予め定められたスリープ・モード基準に部分的に基づいてスリープ・モードを選択するように構成されうる。
【００１６】
他の局面によれば、ここでは、モバイル・デバイスに関連するスリープ・モード移行を促す方法が説明される。この方法は、モバイル・デバイスに関連するスリープ・モード移行に関連する情報を評価することを含みうる。さらに、この方法は、予め定められたスリープ・モード基準に部分的に基づいて、第１のスリープ・モードから別のスリープ・モードへの移行を促すシグナルを送信することを含みうる。
【００１７】
また別の局面は、スリープ・モードを選択することに関連するシグナリング、および、予め定められたスリープ・モード基準に部分的に基づく、モバイル・デバイスに関連するスリープ・モードの選択に関する命令群を保持するメモリを含む無線通信装置に関する。さらに、無線通信装置は、メモリに接続され、メモリに保持された命令群を実行するように構成されたプロセッサを備えうる。
【００１８】
別の局面は、無線通信環境におけるモバイル・デバイスに関連するスリープ・モードの選択を容易にする無線通信装置に関する。この無線通信装置は、スリープ・モードの選択を容易にするようにシグナリングする手段を含みうる。さらに、この無線通信装置は、予め定められたスリープ・モード基準に部分的に基づいてスリープ・モードを選択する手段を含みうる。
【００１９】
また別の局面は、予め定められたスリープ・モード基準に部分的に基づいて、特定のスリープ・モードへ移行することに関連する情報を評価し、予め定められたスリープ・モード基準に関連する移行のための条件が満たされた場合、特定のスリープ・モードへの移行をシグナリングするための機械実行可能命令群を格納して有する機械読取可能媒体に関する。
【００２０】
別の局面によれば、無線通信システムにおける装置は、プロセッサを含みうる。このプロセッサは、スリープ・モード基準に部分的に基づいて、スリープ・モード移行に関連する情報を評価するように構成されうる。さらに、このプロセッサは、モバイル・デバイスに関連するスリープ・モードを選択するように構成されうる。さらに、このプロセッサは、第１のスリープ・モードから異なるスリープ・モードへの移行に関連する少なくとも１つのシグナルを送信するように構成されうる。このプロセッサはさらに、モバイル・デバイスに関連するデータ交換をスケジュールするように構成されうる。
【００２１】
前述の目的および関連する目的を達成するために、１または複数の実施形態は、後に十分に記載され、特に特許請求の範囲において指摘される特徴を備える。以下の記載および添付図面は、１または複数の実施形態のある例示的な局面をより詳細に述べる。しかしながら、これらの局面は、さまざまな実施形態の原理が適用され、説明された実施形態がそのようなすべての局面およびそれらの等価物を含むことが意図されているさまざまな局面のうちのほんのいくつかしか示していない。
【図面の簡単な説明】
【００２２】
【図１】図１は、本明細書に記載のさまざまな局面にしたがった無線通信システムの例示である。
【図２】図２は、無線通信環境内のモバイル・デバイスに関連する異なるスリープ・モード間の移行を容易にするシステムの一例の例示である。
【図３】図３は、無線通信環境内のモバイル・デバイスに関連する異なるスリープ・モード間の移行を容易にするシステムの一例の例示である。
【図４】図４は、無線通信システムに関連するモバイル・デバイスにおけるスリープ・モードの選択を容易にする方法論の一例の例示である。
【図５】図５は、無線通信システムに関連するモバイル・デバイスにおけるスリープ・モードへの移行を促す方法論の一例の例示である。
【図６】図６は、無線通信システムに関連するモバイル・デバイスにおけるスリープ・モード間の移行を促すモバイル・デバイスの一例の例示である。
【図７】図７は、無線通信システムに関連するモバイル・デバイスにおけるスリープ・モード間の移行を促す方法論の一例の例示である。
【図８】図８は、本明細書に記載のさまざまなシステムおよび方法と連携して適用される無線ネットワーク環境の一例の例示である。
【図９】図９は、無線通信環境に関連するモバイル・デバイスにおいて、異なるスリープ・モード間の移行を促すシステムの一例の例示である。
【図１０】図１０は、無線通信環境に関連するモバイル・デバイスにおいて、異なるスリープ・モード間の移行を促すシステムの一例の例示である。
【発明を実施するための形態】
【００２３】
さまざまな実施形態が、全体を通じて同一符号が同一要素を参照するために使用される図面を参照して記載される。以下の記載では、１または複数の実施形態の完全な理解を与えるために、説明目的で、多くの具体的な詳細が述べられる。しかしながら、そのような実施形態は、これら具体的な詳細無しでも実現されうることが明白であろう。他の事例では、周知の構成およびデバイスが、１または複数の実施形態の説明を容易にするために、ブロック図形式で示される。
【００２４】
本願で使用されるように、用語「構成要素」、「モジュール」、「システム」等は、ハードウェア、ファームウェア、ハードウェアとソフトウェアとの組み合わせ、ソフトウェア、または実行中のソフトウェアの何れかであるコンピュータ関連エンティティを称することができる。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１または複数のコンピュータに局在化されるか、および／または、１または複数のコンピュータに分散されうる。さらに、これらの構成要素は、さまざまなデータ構造を格納して有するさまざまなコンピュータ読取可能媒体から実行可能である。これら構成要素は、例えば１または複数のデータ（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータ）のパケットを有する信号にしたがって、ローカル処理および／またはリモート処理によって通信することができる。
【００２５】
さらに本明細書では、さまざまな局面がモバイル・デバイスに関して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。モバイル・デバイスは、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、あるいは、無線モデムに接続されたその他の処理デバイスでありうる。さらに、本明細書では、さまざまな実施形態が、基地局に関して説明される。基地局は、モバイル・デバイスと通信するために利用され、アクセス・ポイント、ノードＢ、またはその他いくつかの専門用語で称されうる。
【００２６】
さらに、本明細書に記載のさまざまな局面または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、またはメディアからアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、カード、スティック、キー・ドライブ等）を含みうる。さらに、本明細書に記載されたさまざまな記憶媒体は、情報を格納するための１または複数のデバイス、および／または、その他の機械読取可能媒体を表しうる。用語「機械読取可能媒体」は、限定する訳ではないが、無線チャネルを含むのみならず、命令群および／またはデータを格納、包含および／または伝送することが可能なその他さまざまな媒体を含む。
【００２７】
図１に示すように、無線通信システム１００が、本明細書に示すさまざまな実施形態にしたがって例示される。システム１００は、複数のアンテナ・グループを含むことができる基地局１０２を備える。例えば、１つのアンテナ・グループは、アンテナ１０４および１０６を含み、他のアンテナ・グループは、アンテナ１０８および１１０を備え、更なるグループが、アンテナ１１２および１１４を含むことができる。おのおののグループに対して２つのアンテナが例示されているが、それより多い、またはそれより少ないアンテナが、おのおののグループのために利用されうる。基地局１０２はまた、送信機チェーンおよび受信機チェーンを含みうる。それらのおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２８】
基地局１０２は、例えばモバイル・デバイス１１６およびモバイル・デバイス１２２のような１または複数のモバイル・デバイスと通信することができるが、基地局１０２は、モバイル・デバイス１１６およびモバイル・デバイス１２２に類似した実質的に任意の数のモバイル・デバイスと通信しうることが認識されるべきである。モバイル・デバイス１１６およびモバイル・デバイス１２２は、例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００によって通信するためのその他任意の適切なデバイスでありうる。図示するように、モバイル・デバイス１１６は、アンテナ１１２およびアンテナ１１４と通信している。ここで、アンテナ１１２およびアンテナ１１４は、順方向リンク１１８でモバイル・デバイス１１６へ情報を送信し、逆方向リンク１２０でモバイル・デバイス１１６から情報を受信する。さらに、モバイル・デバイス１２２はアンテナ１０４およびアンテナ１０６と通信している。ここで、アンテナ１０４およびアンテナ１０６は、順方向リンク１２４でモバイル・デバイス１２２へ情報を送信し、逆方向リンク１２６でモバイル・デバイス１２２から情報を受信する。周波数分割二重（ＦＤＤ）システムでは、例えば、順方向リンク１１８が、逆方向リンク１２０によって使用されるものとは異なる周波数帯域を利用し、順方向リンク１２４は、逆方向リンク１２６によって適用されるものとは異なる周波数帯域を適用することができる。さらに、時分割二重（ＴＤＤ）システムでは、順方向リンク１１８と逆方向リンク１２０とが、共通の周波数帯域を利用し、順方向リンク１２４と逆方向リンク１２６とが、共通の周波数帯域を利用することができる。
【００２９】
アンテナのおのおののグループ、および／または、それらが通信すると指定されている領域は、基地局１０２のセクタと称されうる。例えば、アンテナ・グループは、基地局１０２によってカバーされる領域のセクタ内のモバイル・デバイス（例えば、１１６）と通信するように設計されうる。順方向リンク１１８、１２４による通信では、基地局１０２の送信アンテナは、モバイル・デバイス１１６、１２２の順方向リンク１１８、１２４の信号対雑音比を改善するためにビームフォーミングを利用することができる。また、基地局１０２が、関連する有効範囲にわたってランダムに散在したモバイル・デバイス１１６、１１２へ送信するためにビームフォーミングを利用している間、近隣セルにおけるモバイル・デバイスは、単一アンテナによってすべてのモバイル・デバイスへ送信している基地局と比べて、低い干渉しか受けない。
【００３０】
局面によれば、モバイル・デバイス（例えば、１１６）は、予め定められたスリープ・モード基準に部分的に基づいて、例えばディープ・スリープ（ＤＳ）モード、ライト・スリープ（ＬＳ）モード、および／または、連続受信（ＣＲＸ）モードのような異なるモード間を移行（例えば、切換）できるように構成されうる。１つの局面では、モバイル・デバイス（例えば、１１６）は、サイクル（例えば、不連続送信（ＤＴＸ））を有しうる。おのおののサイクルは、モバイル・デバイスが基地局１０２からの送信をモニタする「オン」期間、および／または、電力消費の低減を促進するために、モバイル・デバイスにおけるラジオ周波数（ＲＦ）生成がオフされる「オフ」期間を含みうる。特定のモードに関連する特定のサイクルの長さは、サイクル内のおのおのの「オン」期間と結合されたおのおのの「オフ」期間の合計長さに部分的に基づきうる。したがって、例えば、ＤＳモードに関連する「オフ」期間は、ＬＳモードに関連する「オフ」期間よりも長くなりうるので、ＤＳモードのＤＲＸサイクルは、ＬＳモードのＤＲＸサイクルよりも長くなりうる。１つの局面では、ＤＳモードは、電力消費の低減を促進するために、不連続受信（ＤＲＸ）に関連する指定された「オフ」期間を持つサイクル（例えば、ＤＲＸサイクル）を有しうる。この「オフ」期間は、ＬＳモードに関連するサイクルのために指定された「オフ」期間、または、ＣＲＸモードに関連するサイクルのために指定された「オフ」期間（例えば、それらは、ゼロに設定された「オフ」期間を持つことができる）よりも長くなりうる。「オフ」期間中、モバイル・デバイス（例えば、１１６）は、電力消費の低減を促進するために、（例えば、不連続送信（ＤＴＸ）期間も同様に存在しうる）ＲＦ生成をオフ（例えば、非アクティブ）にする。「オフ」期間中、モバイル・デバイスは、データを受信することも、情報を制御することもできない。ＤＳモードはまた、電力消費の低減を促進するために、ＤＴＸに関連する指定された「オフ」期間を有することができる。この「オフ」期間は、（例えば、ゼロに設定された「オフ」期間を有しうる）ＣＲＸモードまたはＬＳモードに関連する「オフ」期間よりも長くなりうる。ＤＳモードはさらに、サイクル中、指定された「オン」期間を持つことができる。この「オン」期間は、ＬＳモードの「オン」期間よりも低い頻度で引き起こり、モバイル・デバイス（例えば、１１６）は、そのような「オン」期間中、ある一定の情報（例えば、制御情報）を受信することができる。ＤＳモードはまた、ＤＴＸサイクル中、指定された「オン」期間を持つことができる。ＤＳモードである間、モバイル・デバイス（例えば、１１６）は、データ・チャネルを介してデータを送信することができないが、「オン」期間（例えば、「オン」インタバル）中、制御チャネルを介して制御情報を受信および／または送信することができる。基地局１０２とのデータ交換のために、モバイル・デバイス（例えば、１１６）は、ＤＳモードからＬＳモードまたはＣＲＸモードへ移行する必要がある。
【００３１】
ＬＳモードは、ＤＳモードとは異なるサイクルを持つ。なぜなら、ＤＲＸに関連する「オフ」期間は、ＤＳモードと比較して、ＤＳモードのＤＲＸに関連する「オフ」期間よりも短い長さであるからである。ＬＳモードはまた、ＤＴＸに関連する、定められた「オフ」期間を有しうる。これは、ＤＳモードのＤＴＸに関連する「オフ」期間よりも短くなりうる。ＬＳモードはさらに、ＤＲＸに関連する、定められた「オン」期間を有しうる。それは、ＤＳモードの「オン」期間よりもより頻繁に（であるが、情報を受信するために連続して「オン」になりうるＣＲＸモードよりもさほど頻繁ではなく）引き起こり、非ＤＲＸスロット中に、データおよび／または制御情報が受信されうる。ＬＳモードは、ＤＴＸに関連する、定められた「オン」期間を有しうる。ＬＳモードである間、モバイル・デバイス（例えば、１１６）は、データ・チャネルを介してデータを、制御チャネルを介して制御情報を送信および／または受信しうる。ＬＳモードにおいて、モバイル・デバイス（例えば、１１６）は、電力消費の低減を促進することができるが、電力消費の低減は一般に、ＤＳモードにおける電力消費の低減ほどではないだろう。
【００３２】
ＣＲＸモードにおいて、モバイル・デバイス（例えば、１１６）は、（例えば、非ＤＲＸモードのように）すべての時間において「オン」である状態にあることができ、データおよび／または制御情報を受信することができる。すなわち、ＣＲＸモードでは、「オフ」期間は、サイクル中に「オフ」期間がないように、ゼロに設定されうる。実施形態によれば、ＣＲＸモード（例えば、非スリープ・モード）は、ＬＳモードに関連する特別なモードと考えられうる。ＣＲＸモードの場合、「オフ」期間は、ゼロに設定され、サイクルは、例えば、モバイル・デバイス（例えば、１１６）が連続的に「オン」状態であるように、一連の「オン」スロットからなりうる。したがって、「オフ」期間がゼロに設定され、モバイル・デバイス（例えば、１１６）が「オン」状態に連続してあることができるように、ＬＳモードは設定されうる。ＣＲＸモードである間、モバイル・デバイス（例えば１１６）は、一般に、ＬＳモードまたはＤＳモードである場合よりも多くの電力を消費しうる。
【００３３】
（例えば、ＤＲＸおよびＤＴＸにそれぞれ関連している）「オフ」期間の長さは、好ましくは設定可能であり、例えば、ＣＲＸモードに関連するゼロから、所望の秒数（例えば、２秒）の範囲に及びうる。「オフ」期間の長さは一般に、ＤＳモードの場合、ＬＳモードよりも長くなりうる。（例えば、ＤＲＸとＤＴＸとのそれぞれ関連する）「オン」期間の長さは、好ましくは設定可能であり、１ｍｓから１ｍｓ超へ及びうる。「オフ」期間および「オン」期間それぞれの長さは、モードのタイプ（例えば、ＤＳモード、ＬＳモード、ＣＲＸモード）に部分的に基づきうる。基地局１０２は、モバイル・デバイスが「オン」期間（例えば、「オン」スロット）である場合、モバイル・デバイス（例えば、１１６）が基地局１０２とデータを交換できないが基地局１０２と制御情報を交換できるＤＳモードにある場合を除いて、基地局１０２とモバイル・デバイス（例えば、１１６）との間のデータ送信のスケジュールおよび／または処理を行うことができる。
【００３４】
ＤＳモード、ＬＳモード、およびＣＲＸモードのおのおのはさらに、それぞれのＣＱＩ属性、それぞれのサウンディング・リファレンス信号（ＳＲＳ）属性、それぞれの測定イベント、および／または、それぞれのタイマ値に部分的に基づいて設定されうる。ここで、タイマ値は、モバイル・デバイス（例えば、１１６）が、あるモードから別のモードへ移行すべき時の判定を容易にするために利用されうる。例えば、ＣＱＩ属性は、スリープ・モードのタイプ、または、あるスリープ・モードから別のスリープ・モードへの移行に部分的に基づいて設定または更新されうる。
【００３５】
予め定められたスリープ・モード基準に関し、そのような基準は、例えば、あるモードから別のモード（例えば、ＬＳモードからＤＳモード）へ移行するようにモバイル・デバイス（例えば、１１６）へ指示および／または命令する基地局からの明示的なシグナル、および／または、（例えば、予め定められた期間またはそれ以上の期間、モバイル・デバイスに関連するデータ通信が存在しない）非明示的なシグナルに関連しうる。モバイル・デバイス（例えば、１１６）は、例えば、制御メッセージ、データ・メッセージ、および／または、イベント（例えば、データ送信または制御情報の受信または送信）間の時間の長さに関連する情報、および／または、発生するイベントのタイプのような受信情報をモニタおよび分析し、予め定められたスリープ・モード基準に部分的に基づいて、異なるモードの選択および／または異なるモード間の切換を制御することができる。モバイル・デバイス（例えば、１１６）はまた、あるモードから別のモードへの移行をトリガできるように、特定のイベント間で予め定められた期間が経過したかの判定を容易にするために、イベント間の時間の長さを追跡することができる。モバイル・デバイス（例えば、１１６）は、電力消費の低減を促進するために、予め定められたスリープ・モード基準に部分的に基づいて、ＬＳモードまたはＤＳモードへ移行することができる。その結果、モバイル・デバイス（例えば、１１６）は、従来のモバイル・デバイスと比較して、電力消費の低減を促進することができる。
【００３６】
１つの局面において、モバイル・デバイス（例えば、１１６）がＤＳモードにある場合、ＤＳモードからＬＳモードへ移行させるための非明示的なシグナルは、例えば基地局１０２からモバイル・デバイス（例えば、１１６）へのダウンリンク・データ送信のスケジューリングのようなダウンリンク・データ送信に関する情報を受信すること、または、アップリンク・データ送信（例えば、スケジュールされたアップリンク送信）にアクセスすること、またはアップリンク・データ送信をスケジュールすることを含む。そして、前述したイベントのうちの何れかが発生すると、予め定められたスリープ・モード基準は、モバイル・デバイスがＤＳモードからＬＳモードへ移行すべきであることを示す。そのようなイベントが発生すると、モバイル・デバイス（例えば、１１６）は、予め定められたスリープ・モード基準に部分的に基づいて、ＤＳモードからＬＳモードへ移行することができる。
【００３７】
ＤＳモードにある場合、モバイル・デバイス（例えば、１１６）は、予め定められた時間インスタンス（例えば、「オン」期間中）において、アップリンク制御信号を送信することができる。モバイル・デバイス（例えば、１１６）はまた、制御チャネル（例えば、ＰＤＣＣＨ）を介して「特別な」制御情報を受信した場合、ＤＳモードに残ることができる。例えば、ＤＳモードにある場合、モバイル・デバイス（例えば、１１６）は、電力制御情報、レイヤ１（例えば、物理レイヤ）／レイヤ２（例えば、データ・リンク・レイヤ）（Ｌ１／Ｌ２）制御チャネル・メッセージ、またはアップ／ダウン・コマンドを受信することができる。例えば、モバイル・デバイス（例えば、１１６）が情報を受信した場合、モバイル・デバイス（例えば、１１６）は、（例えば、ダウンリンク・データ送信が正しく復号されない場合）Ｌ１／Ｌ２制御のみが正しく復号されたことを基地局１０２へシグナルすることができる。このシグナルは、否定的なアクノレッジメント（ＮＡＫ）になり得る。あるいは、モバイル・デバイスは、Ｌ１／Ｌ２制御と（例えば、データの）スケジュールされたダウンリンクとの両方が正しく復号されることをシグナルすることができる。このシグナルはアクノレッジメント（ＡＣＫ）になり得る。
【００３８】
非明示的な別のシグナルの例として、モバイル・デバイスにおける電力消費の低減を促進するために、モバイル・デバイス（例えば、１１６）がＬＳモードにある間、このモバイル・デバイスは、予め定められた期間、基地局１０２との間でデータを交換（例えば、送信および／または受信）せず、予め定められたスリープ・モード基準は、モバイル・デバイスがＬＳモードからＤＳモードへ移行すべきであることを明示し、モバイル・デバイスは、ＬＳモードからＤＳモードに切り換わる。モバイル・デバイス（例えば、１１６）は、ＤＲＸに関連するＤＳモードからＬＳモードへの移行、および、ＬＳモードからＤＳモードへの移行のための非明示的なシグナルが、ＤＴＸに関連するＤＳモードからＬＳモードへの移行、および、ＬＳモードからＤＳモードへの移行に対応するか、あるいは、限定されるように設定されるか、または、ＤＲＸとＤＴＸとにそれぞれ関連する移行が、他と関連することなく設定されうる。モバイル・デバイス（例えば、１１６）が、ＤＲＸに関連するＤＳモードでアクセスする場合、モバイル・デバイスは一般に、基地局１０２からのアクセスに関する明示的または非明示的な確認を受信するまで、ＤＳモードから移行することができない。
【００３９】
非明示的なシグナルの別の例は、ＣＲＸモードとＬＳモードとの間の移行に関する。モバイル・デバイスにおける電力消費の低減を促進するために、モバイル・デバイス（例えば、１１６）がＣＲＸモードにある間、モバイル・デバイス（例えば、１１６）が、予め定められた時間、基地局１０２とデータを交換（例えば、送信および／または受信）できないのであれば、予め定められたスリープ・モード基準は、モバイル・デバイスが、ＣＲＸモードからＬＳモードへ移行すべきであることを明示し、モバイル・デバイスは、ＣＲＸモードからＬＳモードへと切り換わる。
【００４０】
明示的なシグナルに関し、明示的なシグナルは、基地局１０２からモバイル・デバイス（例えば、１１６）から送信されたＬ１／Ｌ２制御メッセージ、および／または、Ｌ１／Ｌ２制御メッセージおよびスケジュールされたデータのダウンリンク（例えば、Ｌ１／Ｌ２制御チャネル＋ＤＬ  ＳＣＨ）を含みうる。予め定められたスリープ・モード基準は、そのような明示的なシグナルを受信すると、モバイル・デバイスが（例えば、ＤＲＸおよび／またはＤＴＸに関して）ＤＳモードからＬＳモードへ移行すべきであると定め、モバイル・デバイスはＤＳモードからＬＳモードへ移行することができる。明示的なシグナルは、例えば基地局１０２が、基地局１０２とモバイル・デバイスとの間でデータ交換が予め定められた期間にないであろうこと、および／または、データ交換がなかったことを知っている場合、予め定められたスリープ・モード基準に部分的に基づいて基地局１０２によって生成され、モバイル・デバイス（例えば、１１６）へ送信される。基地局１０２はまた、データ交換が予め定められた期間経過したかの判定を容易にするために、モバイル・デバイス（例えば、１１６）とのデータ交換に要した経過時間量を追跡する。
【００４１】
明示的なシグナルの別の例として、明示的なシグナルはまた、基地局１０２からモバイル・デバイス（例えば、１１６）へ送られたＬ１／Ｌ２制御メッセージ、および／または、Ｌ１／Ｌ２制御メッセージとスケジュールされたデータのダウンリンクを含みうる。ここで、予め定められたスリープ・モード基準は、そのような明示的なシグナルを受信すると、モバイル・デバイスが（例えば、ＤＲＸおよび／またはＤＴＸに関して）ＬＳモードからＤＳモードへ移行すべきであると定め、モバイル・デバイスはＬＳモードからＤＳモードへ移行することができる。
【００４２】
明示的なシグナルの別の例は、ＣＲＸモードと、ＬＳモードまたはＤＳモードとの間の移行に関連しうる。そのような明示的なシグナルは、基地局１０２からモバイル・デバイス（例えば、１１６）へ送られるＬ１／Ｌ２制御メッセージ、および／または、Ｌ１／Ｌ２制御メッセージとスケジュールされたデータのダウンリンクとを含みうる。ここで、予め定められたスリープ・モード基準は、そのような明示的なシグナルを受信すると、モバイル・デバイスは（例えば、ＤＲＸおよび／またはＤＴＸに関して）ＬＳモードまたはＤＳモードとＣＲＸモードとの間を移行すべきであると定め、モバイル・デバイスは、この明示的なシグナルを提供するメッセージで指定されたように、ＣＲＸモードと、所望のモード（例えば、ＬＳモード、ＤＳモード）との間を移行することができる。
【００４３】
別の局面によれば、モバイル・デバイス（例えば、１１６）は、ＣＱＩ情報を送るように構成されうる。例えば、ＣＱＩオフセットは、０から、いくつかのスロットまで及びうる。ＣＱＩ情報を送る場合、アップリンクを同期させることが望ましい。一般に、（例えば、ＤＲＸに関連する）「オフ」期間が有意な期間（例えば、２秒またはそれ以上）である場合、ＣＱＩは送られず、同期を失う恐れがある。また、ＣＱＩ情報を送る場合、電力制御されることが望ましい。なぜなら、基地局１０２において復号が成功する可能性が低い場合、ＣＱＩを送る利点がほとんどないからである。電力制御を容易にするために、さらなるブロードバンド・リファレンス・シグナルが、ＣＱＩに提供されうる。例えば、モバイル・デバイス（例えば、１１６）から基地局１０２へＣＱＩを送る場合、ＳＲＳが適用されうる。基地局１０２とモバイル・デバイス（例えば、１１６）との間の適切なデータ送信レートの決定を容易にするために、基地局１０２によってＣＱＩ情報が利用されうる。なぜなら、高い品質インジケータを持つチャネルは、一般に、低い品質インジケータを持つチャネルよりも高いデータ送信レートをサポートするからである。
【００４４】
１つの実施形態では、モバイル・デバイス（例えば、１１６）は、ＣＲＸモード、ＬＳモード、およびＤＳモード（例えば、ＤＲＸおよび／またはＤＴＸ）を適用することができる。主題となるそのようなイノベーションの実施形態によって、例えばゲームまたはボイス・オーバ・インターネット・プロトコル（ＶｏＩＰ）のようなあるアプリケーションのための適切なサポートを提供しながら、従来のモバイル・デバイスと比較して、モバイル・デバイス（例えば、１１６）による電力消費を実質的に低減することができる。モバイル・デバイスは、明示的なシグナリングおよび／または非明示的なシグナリングに部分的に基づいて、ＬＳモードとＤＳモード（例えば、ＤＲＸおよび／またはＤＴＸ）間を移行することができる。明示的なシグナリングはまた、（例えば、ＤＲＸおよび／またはＤＴＸに関して）ＣＲＸモードから、あるいはＣＲＸモードへの移行を容易にするために利用されうる。
【００４５】
別の実施形態によれば、モバイル・デバイス（例えば、１１６）は、ＣＲＸモードおよびＬＳモード（例えば、ＤＲＸおよび／またはＤＴＸ）を使用することができる。その結果、例えば、ゲームまたはＶｏＩＰのようなあるアプリケーションのための適切なサポートを提供しながら、従来のモバイル・デバイスと比較して、（例えば、ＬＳモードに移行することによって）モバイル・デバイス（例えば、１１６）による電力消費を低減することができる。ＣＲＸモードとＬＳモードとの間の移行は、明示的なシグナリングおよび／または非明示的なシグナリングを用いて実行されうる。
【００４６】
また別の実施形態によれば、モバイル・デバイス（例えば１１６）は、ＣＲＸモードおよびＤモード（例えば、ＤＲＸおよび／またはＤＴＸ）を使用することができる。その結果、従来のモバイル・デバイスと比較して、（例えば、ＤＳモードに移行することによって）モバイル・デバイス（例えば、１１６）による電力消費を低減することができる。ＣＲＸモードとＬＳモードとの間の移行は、例えば、明示的なシグナリングおよび／または非明示的なシグナリングを用いて実行されうる。
【００４７】
図２に示すように、無線通信環境内のモバイル・デバイスに関連する異なるスリープ・モード間の移行を容易にするシステム２００が例示される。システム２００は、例えばモバイル・デバイス１１６のような１または複数のモバイル・デバイスと通信することができる基地局１０２を含む。明確化および簡素化のために、図２にはモバイル・デバイスは１つしか示されていないことが認識され理解されるべきである。さらに、基地局１０２は、他の基地局、および／または、例えば認証、許可、アカウント、課金等のような機能を実行することができる（図示しない）別のデバイス（例えば、サーバ）と通信することができる。基地局１０２およびモバイル・デバイス１１６は、それぞれ同一であるか、または、例えばシステム１００に関して本明細書でより十分に説明された構成要素と類似しうる。あるいは、それぞれ同一の機能を備えているか、または、例えばシステム１００に関して本明細書でより十分に説明された構成要素と類似の機能を備えうる。
【００４８】
モバイル・デバイス１１６は、基地局１０２と通信可能に接続（例えば、無線接続）されうる。この接続は、データ・チャネルおよび制御チャネルを備える。データ・チャネルは、モバイル・デバイス１１６と基地局１０２との間のデータの送信を容易とすることができる。また、制御チャネルは、モバイル・デバイスと基地局１０２との間の制御情報の送信を容易とすることができる。
【００４９】
１つの局面では、モバイル・デバイス１１６は、データ・ストア２０４に格納されうる予め定められたスリープ・モード基準に部分的に基づいて、例えば（ＤＲＸおよびＤＴＸに関連する）ＤＳモード、ＬＳモード、および／またはＣＲＸモードのようなさまざまなスリープ・モード間でモバイル・デバイス１１６を移行させることを容易にするスリープ・モード・コントローラ２０２を含みうる。スリープ・モード・コントローラ２０２は、予め定められたスリープ・モード基準に関連する情報をデータ・ストア２０４から検索することを容易にし、この予め定められたスリープ・モード基準を、アナライザ要素２０６へ提供することができる。アナライザ要素２０６は、（例えば、モバイル・デバイス１１６に関連するデータ交換のような）アクティビティに関して受信した情報を評価し、受信した情報を、予め定められたスリープ・モード基準と比較して、モバイル・デバイス１１６があるモードから別のモードへ移行すべきかを判定することを容易にする。
【００５０】
本明細書に記載のデータ・ストア２０４は、揮発性メモリまたは不揮発性メモリの何れかであるか、あるいは、揮発性メモリと不揮発性メモリとの両方を含みうることが認識されるだろう。限定ではなく例示として、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、フラッシュ・メモリ、および／または、不揮発性ランダム・アクセス・メモリ（ＮＶＲＡＭ）を含みうる。揮発性メモリは、ランダム・アクセス・メモリ（ＲＡＭ）を含む。これは、外部キャッシュ・メモリとして動作することができる。限定ではなく例示として、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクトＲａｍｂｕｓ  ＲＡＭ（ＤＲＲＡＭ（登録商標））のような多くの形態で利用可能である。主題とするシステムおよび方法におけるメモリ６０８は、限定することなく、その他任意の適切なタイプのメモリを備えていることが意図される。
【００５１】
モバイル・デバイス１１６はさらに、例えば、モバイル・デバイス１１６に関連するデータ交換中に経過した時間の長さのように、イベントが発生している間に経過した時間の長さを追跡することができるタイマ２０８を含みうる。このタイマ２０８は、予め定められた、あるいはそれ以上の時間の長さの間、モバイル・デバイス１１６がデータ交換に関して非アクティブになっているかを判定することを容易にするために、イベント間の経過時間に関する情報を、スリープ・モード・コントローラ２０２および／またはアナライザ２０６へ提供する。そのような予め定められた時間の長さは、予め定められたスリープ・モード基準によって指定され、異なるタイプの移行、および／または、異なるタイプの送信（例えば、データの受信、データの送信）に関して適用される別の予め定められた時間の長さ（例えば、ＣＲＸモードからＬＳモードへ移行すべきかを判定することに関連する予め定められた時間の長さ；ＬＳモードとＤＳモードとの間で移行すべきかを判定することに関連する別の予め定められた時間の長さ）が存在する。
【００５２】
例えば、モバイル・デバイス１１６は、ＣＲＸモードにあり、アナライザ要素２０６は、モバイル・デバイス１１６と基地局１０２との間で２秒間、データ交換がなかったことを示す時間情報をタイマ２０８から受け取ることができる。アナライザ２０６は、そのような時間情報を、予め定められたスリープ・モード基準と比較することができる。この基準は、この例では、最後のデータ交換から２秒以上経過した場合、モバイル・デバイス１１６はＣＲＸモードからＬＳモードへ移行すべきであると指定することができる。アナライザ２０６は、ＣＲＸモードからＬＳモードへ移行するための予め定められたスリープ・モード基準が満たされていると判定し、この判定を、スリープ・モード・コントローラ２０２へ通知する。スリープ・モード・コントローラ２０２は、この判定および／または予め定められたスリープ・モード基準に部分的に基づいて、モバイル・デバイス１１６のＣＲＸモードからＬＳモードへの移行（切換）を促す。ＣＲＸモードからＬＳモードへ移行するための予め定められたスリープ・モード基準を満たす経過時間は、そのような移行を実行させる非明示的なシグナルでありうる。
【００５３】
別の例として、モバイル・デバイス１１６がＬＳモードにありうる。モバイル・デバイス１１６は、例えば、Ｌ１／Ｌ２制御信号またはＬ１／Ｌ２制御＋ＳＣＨのように、モバイル・デバイス１１６がＬＳモードからＤＳモードへ移行すべきであることを示す明示的なシグナルを基地局１０２から受信することができる。そのようなメッセージは、アナライザ２０６に提供される。アナライザ２０６は、受信したこのメッセージを、予め定められたスリープ・モード基準と比較する。この基準は、このようなメッセージを受信すると、ＬＳモードからＤＳモードへの移行がなされるべきであることを明記することができる。そして、アナライザ２０６は、ＬＳモードからＤＳモードへの移行がなされるべきであると判定する。アナライザ２０６は、その判定をスリープ・モード・コントローラ２０２へ伝え、スリープ・モード・コントローラ２０２は、モバイル・デバイス１１６のＬＳモードからＤＳモードへの移行を促す。
【００５４】
図３に示すように、無線通信環境内のモバイル・デバイスに関連する異なるスリープ・モード間の移行を容易にするシステム３００が例示される。システム３００は、例えばモバイル・デバイス１１６のような１または複数のモバイル・デバイスと通信する基地局１０２を含む。明確化および簡素化のために、図３にはモバイル・デバイスは１つしか示されていないことが認識され理解されるべきである。さらに、基地局１０２は、他の基地局、および／または、例えば認証、許可、アカウント、課金等のような機能を実行することができる（図示しない）別のデバイス（例えば、サーバ）と通信することができる。基地局１０２およびモバイル・デバイス１１６は、それぞれ同一であるか、または、例えばシステム１００および／またはシステム２００に関して本明細書でより十分に説明された構成要素と類似しうる。あるいは、それぞれ同一の機能を備えているか、または、例えばシステム１００および／またはシステム２００に関して本明細書でより十分に説明された構成要素と類似の機能を備えうる。
【００５５】
基地局１０２は、モバイル・デバイス１１６におけるさまざまなスリープ・モード間の移行の制御を容易にするコントローラ３０２を含みうる。例えば、コントローラ３０２は、アナライザ３０４と連携している。アナライザ３０４は、移行判定に関する情報を評価する。さらにあるいはその代わりに、モバイル・デバイス１１６に対してあるスリープ・モードから別のスリープ・モードへ移行するように指示する明示的なシグナル（例えば、制御メッセージ）を生成してモバイル・デバイス１１６へ送るかの判定を容易にするために、移行判定に関する情報を、予め定められたスリープ・モード基準と比較する。
【００５６】
基地局１０２はさらに、基地局１０２とモバイル・デバイス１１６との間のデータ交換中に経過した時間の長さ、あるいは、基地局１０２とモバイル・デバイス１１６との間の最後のデータ交換から経過した時間の長さを追跡するタイマ３０６を含みうる。タイマ３０６は、そのような時間情報を、コントローラ３０２および／またはアナライザ３０４へ提供する。この時間情報は、移行がなされるべきかの判定を容易にするために、予め定められたスリープ・モード基準に関連して評価（すなわち、予め定められたスリープ・モード基準と比較）されうる。
【００５７】
基地局１０２はまた、基地局１０２とモバイル・デバイス１１６との間のアップリンク送信および／またはダウンリンク送信をスケジュールするスケジューラ３０８を備えうる。スケジューラ３０８は、モバイル・デバイス１１６が「オン」期間または「オン」状態にある場合（例えば、ＬＳモードの「オン」期間、または、連続的な「オン」状態にあるＣＲＸモードである場合）、ダウンリンク送信が生じるようにスケジュールすることができる。スケジューラ３０８はまた、モバイル・デバイス１１６が「オン」期間にある場合（例えば、ＬＳモードの「オン」期間、または、連続的な「オン」状態にあるＣＲＸモードである場合）、アップリンク送信が生じるようにスケジュールすることができる。スケジューラ３０８は、特定の送信の一部として、所望の制御メッセージおよび／または関連するデータの送信を促すことができる。
【００５８】
図４および図５に示すように、無線通信環境におけるモバイル・デバイスに関連するスリープ・モードを選択すること、および／または、スリープ・モード間において移行することが例示されている。説明を簡単にする目的で、この方法論は、一連の動作として示され、説明されているが、１または複数の実施形態によれば、いくつかの動作は、本明細書に示され記載されたものとは異なる順序で、および／または、他の動作と同時になされ、説明された動作順序によって限定されないことが理解され認識されるべきである。例えば、当業者であれば、方法論は、代わりに、例えば状態図における一連の相互関連する状態またはイベントとして表されうることを理解および認識するだろう。さらに、１または複数の実施形態にしたがう方法論を実現するために、必ずしも例示されたすべての動作が必要される訳ではない。
【００５９】
図４に示すように、無線通信システムに関連するモバイル・デバイスにおいてスリープ・モードを選択することを容易にする方法論４００が例示される。４０２では、予め定められたスリープ・モード基準に部分的に基づいてスリープ・モードが選択されうる。１つの局面では、選択可能なスリープ・モードは、ＬＳモード、ＤＳモード、および／または、非スリープ・モード（例えば、ＣＲＸモード）を含む。モバイル・デバイスは、所望のスリープ・モードを選択することを容易にすることができる。４０４では、スリープ・モードを選択することを促すシグナリングが存在しうる。例えば、このシグナリングは、基地局（例えば１０２）からモバイル・デバイス（例えば、１１６）への制御メッセージのような明示的なシグナリングであり、モバイル・デバイスに対して、別のスリープ・モードを選択することによって、あるスリープ・モードから別のスリープ・モードへと移行するように指示する。あるいは、このシグナリングは、基地局とモバイル・デバイスとの間の最後のデータ交換中に経過した予め定められた時間の長さのように、満たされた条件に部分的に基づきうる非明示的なシグナリングでありうる。ここで、この条件は、例えば、予め定められたスリープ・モード基準によって定められる。
【００６０】
図５には、無線通信システムに関連するモバイル・デバイスにおいて、スリープ・モードへ移行することを促す方法論５００が例示される。５０２では、スリープ・モードに関連する情報が評価される。１つの局面では、モバイル・デバイス（例えば、１１６）または基地局（例えば、１０２）に関連するアナライザが、例えば、基地局とモバイル・デバイスとの間の最後のデータ交換から経過した時間の長さに関連する情報のような、スリープ・モードに関連する情報を評価する。５０４では、予め定められたスリープ・モード基準に部分的に基づいて、第１のスリープ・モードから別のスリープ・モードへの移行が実行されるべきかに関する判定がなされる。例えば、アナライザは、スリープ・モードに関連して受信した情報を評価し、その受信した情報を、移行条件が満たされているかを判定する予め定められたスリープ・モード基準と比較した後に、ＬＳモードからＤＳモードへの移行すべきかに関する判定を行うことができる。５０６では、第１のスリープ・モードから別のスリープ・モードへの移行を促すシグナルが存在する。例えば、移行条件が満たされているかが、受信した情報および／または予め定められたスリープ・モード基準に部分的に基づいて判定された場合、第１のスリープ・モードから別のスリープ・モードへの移行を促すために、明示的なシグナルおよび／または非明示的なシグナルが生成される。明示的なシグナリングは、基地局からモバイル・デバイスへの制御信号であり、モバイル・デバイスが、第１のスリープ・モードから別のスリープ・モードへ移行すべきであることを示す。非明示的なシグナリングは、例えば、満たされている予め定められたスリープ・モード基準に関連するある条件である。満たされているこの条件は、モバイル・デバイスおよび／または基地局に対して、モバイル・デバイスが第１のスリープ・モードから別のスリープ・モードへ移行すべきであることを示す（例えば、非明示的にシグナルする）。５０８では、第１のスリープ・モードから他のスリープ・モードへの移行がなされる。例えば、このシグナルは、モバイル・デバイスが、第１のスリープ・モード（例えば、ＬＳモード）から別のスリープ・モード（例えば、ＤＳモード）へ移行すべきであることを示しうる。
【００６１】
本明細書に記載の１または複数の局面にしたがって、スリープ・モードを選択すること、および／または、モバイル・デバイスに関してスリープ・モード間でいつ移行すべきかを判定することに関する推論がなされることが認識されるであろう。本明細書で使用されるように、用語「推論する」または「推論」は、一般に、イベントおよび／またはデータによって取得された観察結果のセットから、システム、環境、および／または、ユーザに関する理由付けをするプロセス、あるいは、これらの状態の推論のプロセスを称する。推論は、特定のコンテクストまたはアクションを識別するために適用されるか、あるいは、例えば状態にわたった確率分布を生成することができる。この推論は、確率論的でありうる。すなわち、データおよびイベントの考慮に基づき、当該状態にわたった確率分布を計算することである。推論はまた、イベントおよび／またはデータのセットから高次レベルのイベントを構成するために適用される技術を称する。そのような推論によって、観察されたイベントおよび／または格納されたイベント・データのセットから、これらイベントが時間的に近接して関連付けられていようといまいと、これらイベントおよびデータが、１またはいくつかのイベント・ソースおよびデータ・ソースに由来していようとも、新たなイベントまたはアクションが構築される。
【００６２】
一例によれば、上述した１または複数の方法は、スリープ・モードを選択すること、および／または、あるスリープ・モードから別のスリープ・モードへ移行することに関する推論を行う。さらなる例示によれば、あるスリープ・モードと別のスリープ・モードとの間の移行が実行されるべきであるか、あるいは既になされているかの判定に関する推論がなされる。前述の例は、本質的に例示的であって、なされうる推論の数、あるいは、そのような推論が本明細書に記載されたさまざまな実施形態および／または方法と連携してなされる方法に限定されることは意図されていないことが認識されるだろう。
【００６３】
図６は、無線通信システムに関連するモバイル・デバイスにおけるスリープ・モード間の移行を容易にするモバイル・デバイス６００の例示である。モバイル・デバイス６００は、例えば、受信アンテナ（図示せず）から信号を受信し、この受信した信号に対して一般的な動作（例えば、フィルタ、増幅、ダウンコンバート等）を実行し、このように調整された信号をデジタル化してサンプルを得る受信機６０２を備える。受信機６０２は、例えば、ＭＭＳＥ受信機であり、受信したシンボルを復調し、チャネル推定のためにそれらをプロセッサ６０６へ提供する復調器６０４を備えうる。プロセッサ６０６は、受信機６０２によって受信された情報を分析し、および／または、送信機６０８による送信のための情報を生成することに特化されたプロセッサ、モバイル・デバイス６００のうちの１または複数の構成要素を制御するプロセッサ、および／または、受信機６０２によって受信された情報の分析と、送信機６０８による送信のための情報の生成と、モバイル・デバイス６００のうちの１または複数の構成要素の制御とのすべてを行うプロセッサでありうる。モバイル・デバイス６００はまた、信号（例えば、データ）を、例えば基地局１０２、別のモバイル・デバイス等へ送信することを容易にするために、送信機６０８と連携して動作することができる。
【００６４】
プロセッサ６０６はまた、モバイル・デバイス１１６に関連するさまざまなスリープ・モード間の移行の判定および／または制御を容易にするスリープ・モード・コントローラ２０２を備えうる。スリープ・モード・コントローラ２０２は、例えばシステム２０２に関して本明細書でより十分に説明されたようなそれぞれの構成要素と同一または類似しているか、あるいは、それらと同一または類似の機能を備えうることが認識され理解されるべきである。スリープ・モード・コントローラ２０２は、好ましくは、（図示するような）プロセッサ６０６内に含まれるか、スタンド・アロン・ユニットであるか、他の構成要素に組み込まれるか、および／または、実質的にこれらの任意の適切な組み合わせでありうることが認識され理解されるべきである。
【００６５】
モバイル・デバイス６００はさらに、プロセッサと動作可能に接続されたデータ・ストア２０４を備えうる。このデータ・ストア２０４は、送信されるデータ、受信されたデータ、予め定められたスリープ・モード基準に関連する情報、さまざまなスリープ・モード間の移行に関する判定に関連する情報（例えば、データ交換中の経過時間、明示的なシグナル、非明示的なシグナル等）、および、あるスリープ・モードから他のスリープ・モードへ移行するかの判定を容易にすることができるその他の適切な情報を格納することができる。データ・ストア２０４はさらに、あるスリープ・モードから別のスリープ・モードへ移行するかに関し、その判定を容易にするアルゴリズム、および／または、プロトコルを格納しうる。データ・ストア２０４は、例えばシステム２０２に関して本明細書でより十分に説明されたようなそれぞれの構成要素と同一または類似しているか、あるいは、それらと同一または類似の機能を備えうることが認識されるべきである。
【００６６】
プロセッサ６０６は、例えば、さまざまなスリープ・モード間の移行に関する判定に関連する情報のような情報を評価するアナライザ２０６に接続されている。アナライザ２０６は、例えばシステム２０２に関して本明細書でより十分に説明されたそれぞれの構成要素と同一または類似しているか、あるいは、それらと同一または類似の機能を備えうることが認識されるべきである。アナライザ２０６は、好ましくは、（図示するように）スタンド・アロン・ユニットでありうるか、プロセッサ６０６内に含まれうるか、他の構成要素内に組み込まれるか、および／または、これらの実質的に任意の適切な組み合わせでありうることがさらに認識および理解されるべきである。
【００６７】
プロセッサ６０６はまた、タイマ２０８に接続されうる。このタイマ２０８は、さまざまなスリープ・モード間の移行に関する判定を容易にするために、モバイル・デバイス１１６と基地局１０２との間の最後のデータ交換からの経過時間の長さ、あるいは、データ交換中の経過時間の長さを追跡することができる。タイマ２０８は、例えばシステム２０２に関して本明細書でより十分に説明されたそれぞれの構成要素と同一または類似しているか、あるいは、それらと同一または類似の機能を備えうることが認識されるべきである。タイマ２０８は、好ましくは、（図示するように）スタンド・アロン・ユニットであるか、プロセッサ６０６内に含まれるか、他の構成要素内に組み込まれるか、これらの実質的に任意の適切な組み合わせでありうることがさらに認識および理解されるべきである。
【００６８】
図７は、無線通信システムに関連するモバイル・デバイスにおけるスリープ・モード間の移行を容易にするシステム７００の例示である。システム７００は、複数の受信アンテナ７０４を介して１または複数のモバイル・デバイス１１６から信号を受信する受信機７０２と、送信アンテナ７０８を介して１または複数のモバイル・デバイス１１６へ信号（例えば、データ）を送信する送信機７０６とを有する基地局１０２を備える。受信機７０２は、受信アンテナ７０４から情報を受信する。そして、受信した信号を復調する復調器７１０に関連付けられる。復調されたシンボルは、プロセッサ７１２によって分析されうる。プロセッサ７１２は、受信機７０２によって受信された情報の分析、および／または、送信機７０６による送信のための情報の生成に特化されたプロセッサであるか、基地局１０２のうちの１または複数の構成要素を制御するプロセッサであるか、および／または、受信機７０２によって受信された信号の分析、送信機７０６による送信のための情報の生成、および基地局１０２のうちの１または複数の構成要素の制御のすべてを行うプロセッサでありうる。基地局１０２はまた、例えばモバイル・デバイス１１６や他のデバイス等へ信号（例えば、データ）の送信を容易にする送信機７０６と連携して動作することができる変調器７１４を備えうる。
【００６９】
プロセッサ７１２はメモリ７１６に接続されうる。このメモリは、送信されるデータに関連する情報、受信したデータ、スリープ・モード基準に関連する情報、さまざまなスリープ・モード間の移行に関する判定に関連する情報（例えば、データ交換中の経過時間、明示的なシグナル、非明示的なシグナル等）、および、あるスリープ・モードから別のモードへ移行すべきかの判定を容易にするその他任意の情報を格納することができる。メモリ７１６はさらに、モバイル・デバイス１１６があるスリープ・モードから別のモードへ移行すべきかに関連し、かつその判定を容易にするアルゴリズムおよび／またはプロトコルを格納することができる。
【００７０】
プロセッサ７１２は、モバイル・デバイス１１６におけるさまざまなスリープ・モード間の移行に関する判定を容易にするコントローラ３０２であるか、あるいは、そのようなコントローラ３０２を備えうる。コントローラ３０２は、例えばシステム３００に関して本明細書でより十分に説明されたそれぞれの構成要素と同一または類似しているか、あるいは、それらと同一または類似の機能を備えうることが認識および理解されるべきである。コントローラ３０２は、好ましくは、（図示するように）プロセッサ７１２内に含まれるか、スタンド・アロン・ユニットであるか、他の構成要素内に組み込まれるか、これらの実質的に任意の適切な組み合わせでありうることがさらに認識および理解されるべきである。
【００７１】
プロセッサ７１２は、アナライザ３０４に接続されうる。アナライザ３０４は、例えば、モバイル・デバイス１１６内のさまざまなスリープ・モード間の移行に関する判定に関する情報のように、モバイル・デバイス１１６に関連する情報を評価し、モバイル・デバイス１１６があるスリープ・モードから別のモードへと移行すべきであるかを判定することを容易にする予め定められたスリープ・モード基準を分析することができる。アナライザ３０４は、モバイル・デバイス１１６から取得した情報、および／または、基地局１０２内で生成された情報（例えば、データ交換に関する経過時間情報）を受け取ることができる。そのような情報が評価され、移行判定が容易とされる。アナライザ３０４は、例えばシステム３００に関して本明細書でより十分に説明されたそれぞれの構成要素と同一または類似しているか、あるいは、それらと同一または類似の機能を備えうることが認識および理解されるべきである。アナライザ３０４は、好ましくは、（図示するように）スタンド・アロン・ユニットであるか、プロセッサ７１２内に含まれるか、他の構成要素内に組み込まれるか、これらの実質的に任意の適切な組み合わせでありうることがさらに認識および理解されるべきである。
【００７２】
プロセッサ７１２は、タイマ３０６に接続されうる。タイマ３０６は、さまざまなスリープ・モード間の移行に関する判定を容易にするために、モバイル・デバイス１１６と基地局１０２との間の最後のデータ交換からの経過時間の長さ、あるいは、データ交換中の経過時間の長さを追跡することができる。タイマ３０６は、例えばシステム３００に関して本明細書でより十分に説明されたそれぞれの構成要素と同一または類似しているか、あるいは、それらと同一または類似の機能を備えうることが認識および理解されるべきである。タイマ３０６は、好ましくは、（図示するように）スタンド・アロン・ユニットであるか、プロセッサ７１２内に含まれるか、他の構成要素内に組み込まれるか、これらの実質的に任意の適切な組み合わせでありうることがさらに認識および理解されるべきである。
【００７３】
プロセッサ７１２はまた、スケジューラ３０８に接続されうる。スケジューラ３０８は、基地局１０２とモバイル・デバイス１１６との間のデータ送信（例えば、アップリンク、ダウンリンク）をスケジュールすることができる。スケジューラ３０８は、例えばシステム３００に関して本明細書でより十分に説明されたそれぞれの構成要素と同一または類似しているか、あるいは、それらと同一または類似の機能を備えうることが認識および理解されるべきである。スケジューラ３０８は、好ましくは、（図示するように）スタンド・アロン・ユニットであるか、プロセッサ７１２内に含まれるか、他の構成要素内に組み込まれるか、これらの実質的に任意の適切な組み合わせでありうることがさらに認識および理解されるべきである。
【００７４】
図８は、無線通信システム８００の一例を示す。無線通信システム８００は、簡潔さの目的で、１つの基地局８１０と１つのモバイル・デバイス８５０とを示している。しかしながら、システム８００は、１つより多い基地局、および／または、１つより多いモバイル・デバイスを含むことができることが認識されるべきである。これら追加の基地局および／またはモバイル・デバイスは、以下に説明する基地局８１０およびモバイル・デバイス８５０の例と実質的に類似しているか、異なっている。さらに、基地局８１０および／またはモバイル・デバイス８５０は、その間の無線通信を容易にするために、本明細書に記載のシステム（図１−３、図６−７、図９−１０）および／または方法（図４−５）を適用できることが認識されるべきである。基地局８１０とモバイル・デバイス８５０とはおのおの、例えばシステム１００、システム２００、システム３００、システム６００、および／または、システム７００のように、本明細書でより十分説明されたそれぞれの構成要素と同一または類似しているか、あるいは、それらと同一または類似の機能を備えうることが認識されるべきである。
【００７５】
基地局８１０では、多くのデータ・ストリームのためのトラフィック・データが、データ・ソース８１２から送信（ＴＸ）データ・プロセッサ８１４へと提供される。例によれば、おのおののデータ・ストリームは、それぞれのアンテナを介して送信されうる。ＴＸデータ・プロセッサ８１４は、符合化されたデータを提供するためにそのデータ・ストリームのために選択された特定の符合化スキームに基づいて、トラフィック・データ・ストリームをフォーマットし、符合化し、インタリーブする。
【００７６】
おのおののデータ・ストリームの符合化されたデータは、直交周波数分割多重化（ＯＦＤＭ）技術を用いてパイロット・データと多重化されうる。さらにあるいはそれに加えて、パイロット・シンボルは、周波数分割多重化（ＦＤＭ）、時分割多重化（ＴＤＭ）、または符号分割多重化（ＣＤＭ）されうる。パイロット・データは一般に、周知の方法で処理される周知のデータ・パターンであり、モバイル・デバイス８５０においてチャネル応答を推定するために使用されうる。おのおののデータ・ストリームの多重化されたパイロットと符合化されたデータとは、変調シンボルを提供するためそのデータ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（シンボル・マップ）されうる。おのおののデータ・ストリームのデータ・レート、符合化、および変調は、プロセッサ８３０によって実行または提供される命令群によって決定されうる。
【００７７】
データ・ストリームの変調シンボルはＴＸ  ＭＩＭＯプロセッサ８２０に提供される。ＭＩＭＯプロセッサはさらに、（例えばＯＦＤＭのため）変調シンボルを処理することができる。その後、ＴＸ  ＭＩＭＯプロセッサ８２０は、ＮＴ個の変調シンボル・ストリームを、ＮＴ個の送信機（ＴＭＴＲ）８２２ａ乃至８２２ｔへ提供する。さまざまな実施形態では、ＴＸ  ＭＩＭＯプロセッサ８２０は、データ・ストリームのシンボルと、このシンボルが送信されるアンテナとに、ビームフォーミング重みを適用する。
【００７８】
おのおのの送信機８２２は、１または複数のアナログ信号を提供するために、それぞれのシンボル・ストリームを受信および処理する。さらに、このアナログ信号を調整（例えば、増幅、フィルタ、およびアップコンバート）して、ＭＩＭＯチャネルを介した送信に適切な変調信号を提供する。さらに、送信機８２２ａ乃至８２２ｔからのＮＴ個の変調信号が、ＮＴ個のアンテナ８２４ａ乃至８２４ｔそれぞれから送信される。
【００７９】
モバイル・デバイス８５０では、送信された変調信号がＮＲ個のアンテナ８５２ａ乃至８５２ｒによって受信され、受信された信号が、おのおののアンテナ８５２からそれぞれの受信機（ＲＣＶＲ）８５４ａ乃至８５４ｒへ提供される。おのおのの受信機８５４は、それぞれの信号を調整（例えば、フィルタ、増幅、およびダウンコンバート）し、この調整された信号をデジタル化してサンプルを提供し、さらに、このサンプルを処理して、対応する「受信」シンボル・ストリームを提供する。
【００８０】
ＲＸデータ・プロセッサ８６０は、ＮＲ個の受信機８５４で受信されたＮＲ個のシンボル・ストリームを受け取り、特定の受信機処理技術に基づいて処理して、ＮＴ個の「検出」されたシンボル・ストリームを提供する。ＲＸデータ・プロセッサ８６０は、検出されたおのおののシンボル・ストリームを復調、逆インタリーブ、および復号して、このデータ・ストリームのトラフィック・データを復元する。ＲＸデータ・プロセッサ８６０による処理は、基地局８１０においてＴＸ  ＭＩＭＯプロセッサ８２０およびＴＸデータ・プロセッサ８１４によって実行されるものと相補的である。
【００８１】
プロセッサ８７０は、（後述するように）どの事前符合化行列を使用するかを定期的に決定することができる。さらに、プロセッサ８７０は、行列インデクス部とランク値部とを備える逆方向リンク・メッセージを作成する。
【００８２】
この逆方向リンク・メッセージは、通信リンクおよび／または受信したデータ・ストリームに関連するさまざまなタイプの情報を備えうる。逆方向リンク・メッセージは、ＴＸデータ・プロセッサ８３８によって処理され、変調器８８０によって変調され、送信機８５４ａ乃至８５４ｒによって調整され、基地局８１０へ送り戻される。ＴＸデータ・プロセッサはまた、データ・ソース８３６から、多くのデータ・ストリームのトラフィック・データを受信する。
【００８３】
基地局８１０では、モバイル・デバイス８５０からの変調信号がアンテナ８２４によって受信され、受信機８２２によって調整され、復調器８４０によって復調され、ＲＸデータ・プロセッサ８４２によって処理されて、モバイル・デバイス８５０によって送信された逆方向リンク・メッセージが抽出される。さらに、プロセッサ８３０は、この抽出されたメッセージを処理し、ビームフォーミング重みを決定するためにどの事前符合化行列を使用すべきかを決定する。
【００８４】
プロセッサ８３０およびプロセッサ８７０は、基地局８１０およびモバイル・デバイス８５０それぞれにおける動作を指示（例えば、制御、調整、管理等）することができる。プロセッサ８３０およびプロセッサ８７０はそれぞれ、プログラム・コードおよびデータを格納するメモリ８３２およびメモリ８７２と関連している。プロセッサ８３０およびプロセッサ８７０はまた、アップリンクおよびダウンリンクそれぞれのための周波数推定値およびインパルス応答推定値を導出するための計算を実行する。
【００８５】
局面では、論理チャネルが、制御チャネルおよびトラフィック・チャネルへ分類される。論理制御チャネルは、システム制御情報をブロードキャストするＤＬチャネルであるブロードキャスト制御チャネル（ＢＣＣＨ）を備えうる。ＤＬチャネルであるページング制御チャネル（ＰＣＣＨ）は、ページング情報を転送する。例えば、ＰＣＣＨは、ネットワークが、ＵＥのロケーション・セルを知らない場合に利用されうる。共通制御チャネル（ＣＣＣＨ）は、ＵＥとネットワークとの間で制御情報を送信するために利用されるチャネルである。このチャネルは、ネットワークとのＲＲＣ接続を持たないＵＥによって使用されうる。マルチキャスト制御チャネル（ＭＣＣＨ）は、マルチメディア・ブロードキャスト・マルチキャスト・サービス（ＭＢＭＳ）スケジューリングと、１またはいくつかのＭＴＣＨのための制御情報とを送信するために使用されるポイント・トゥ・マルチポイントＤＬチャネルである。一般に、ＲＲＣ接続を確立した後、このチャネルは、ＭＢＭＳ（注：以前のＭＣＣＨ＋ＭＳＣＨ）を受信するＵＥによってのみ使用される。ＭＢＭＳが、ＭＣＣＨ上のＬ２／３シグナリングによって、あるいはＬ１シグナリングによって送信される方法がＦＦＣであることが注目される。専用制御チャネル（ＤＣＣＨ）は、専用制御情報を送信するポイント・トゥ・ポイント双方向チャネルであり、ＲＲＣ接続を有するＵＥによって使用される。局面では、論理トラフィック・チャネルは、ユーザ情報の転送のために、１つのＵＥに特化されたポイント・トゥ・ポイント双方向チャネルである専用トラフィック・チャネル（ＤＴＣＨ）を備えうる。ＤＴＣＨは、ＵＬとＤＬとの両方において使用することができる。さらに、トラフィック・データを送信するためのポイント・トゥ・マルチポイントＤＬチャネルであるマルチキャスト・トラフィック・チャネル（ＭＴＣＨ）。このチャネルは、ＭＢＭＳを受信するＵＥによって使用される。
【００８６】
局面では、輸送チャネルが、ＤＬとＵＬとに分類される。ＤＬ輸送チャネルは、ブロードキャスト・チャネル（ＢＣＨ）、ダウンリンク共有データ・チャネル（ＤＬ−ＳＤＣＨ）、ページング・チャネル（ＰＣＨ）、およびマルチキャスト・チャネル（ＭＣＨ）を備える。ＢＣＨは、固定された予め定められたフォーマットによって特徴付けられ、セルの有効範囲領域全体においてブロードキャストされうる。ＤＬ−ＳＤＣＨは、ハイブリッド自動反復要求（ＨＡＲＱ）のサポート、変調、符合化、および送信電力を変動させることによる動的リンク適応のサポート、セル全体においてブロードキャストされるべき能力、ビームフォーミングを使用する能力、動的リソース割当と準静的リソース割当との両方のためのサポート、ＵＥ省電力を可能にするＵＥ不連続受信（ＤＲＸ）のサポート、ＭＢＭＳ送信のサポートを有することによって特徴付けられうる。低速電力制御を利用する能力が、物理レイヤに部分的に基づきうることが注目される。ＰＣＨは、ＵＥ省電力のサポートを有すること（ＤＲＸサイクルが、ネットワークによってＵＥへ示される）、セルの有効範囲領域全体でブロードキャストされる能力を有することによって特徴付けられうる。そして、トラフィック・チャネルまたはその他の制御チャネルのために動的に使用される物理レイヤへマップされうる。ＭＣＨは、セルの有効範囲領域全体においてブロードキャストされうる能力、ＭＢＳＦＮが複数のセルにおけるＭＢＭＳ送信を結合するためのサポート、および、（例えば、長い周期的プレフィクスの時間フレームを用いた）準静的リソース割当のためのサポートを有することによって特徴付けられうる。ＵＬ輸送チャネルは、アップリンク共有チャネル（ＵＬ−ＳＣＨ）、ランダム・アクセス・チャネル（ＲＡＣＨ）、および複数のＰＨＹチャネルを備える。ＵＬ−ＳＣＨは、ビームフォーミングを使用する能力、送信電力および可能な変調および符合化を変化させることによる動的リンク適応のためのサポート、ＨＡＲＱのためのサポート、および、動的リソース割当と準静的リソース割当との両方のためのサポートを有することによって特徴付けられうる。ＵＬ同期およびタイミング先行を用いることの可能性は、物理レイヤに部分的に依存しうることが注目される。ＲＡＣＨは、限定された制御情報、および衝突リスクを有することによって特徴付けられる。開ループ電力制御を使用する可能性は、物理レイヤ・ソリューションに部分的に基づきうることが注目される。ＰＨＹチャネルは、ＤＬチャネルおよびＵＬチャネルのセットを備える。
【００８７】
（例えば、Ｅ−ＵＬＴＲＡの）ＰＨＹチャネルは、物理ブロードキャスト・チャネル（ＰＢＣＨ）、物理制御フォーマット・インジケータ・チャネル（ＰＣＦＩＣＨ）、物理ダウンリンク制御チャネル（ＰＤＣＣＨ）、物理ハイブリッドＡＲＱインジケータ・チャネル（ＰＨＩＣＨ）、物理ダウンリンク共有チャネル（ＰＤＳＣＨ）、物理アップリンク制御チャネル（ＰＵＣＣＨ）、物理アップリンク共有チャネル（ＰＵＳＣＨ）、および物理ランダム・アクセス・チャネル（ＰＲＡＣＨ）でありうる。物理ブロードキャスト・チャネル（ＰＢＣＨ）では、符合化されたＢＣＨ輸送ブロックが、４０ミリ秒間隔内で４つのサブフレームにマップされ、４０ミリ秒タイミングは、無分別に検出され（例えば、４０ミリ秒タイミングを示す明示的なシグナリングはなく）、おのおののサブフレームは、自己復号可能であると見なされる（例えば、十分良好なチャネル条件を仮定すると、ＢＣＨは、単一の受信から復号されうる）。物理制御フォーマット・インジケータ・チャネル（ＰＣＦＩＣＨ）は、ＰＤＣＣＨのために使用されるＯＦＤＭシンボル数についてＵＥに通知し、すべてのサブフレームにおいて送信されうる。物理ダウンリンク制御チャネル（ＰＤＣＣＨ）は、ＰＣＨとＤＬ−ＳＣＨのリソース割当と、ＤＬ−ＳＣＨに関するハイブリッドＡＲＱ情報についてＵＥに通知し、アップリンク・スケジュール許可を伝送することができる。物理ハイブリッドＡＲＱインジケータ・チャネル（ＰＨＩＣＨ）は、アップリンク送信に応答して、ハイブリッドＡＲＱ  ＡＣＫ／ＮＡＫを伝送し、ＤＬ−ＳＣＨおよびＰＣＨを搬送することができる。物理マルチキャスト・チャネル（ＰＭＣＨ）は、ＭＣＨを伝送することができる。物理アップリンク制御チャネル（ＰＵＣＣＨ）は、ダウンリンク送信に応答してハイブリッドＡＲＱ  ＡＣＫ／ＮＡＫを伝送し、スケジューリング（ＳＲ）を伝送し、ＣＱＩレポートを伝送することができる。物理アップリンク共有チャネル（ＰＵＳＣＨ）は、ＵＬ−ＳＣＨを伝送することができる。物理ランダム・アクセス・チャネル（ＰＲＡＣＨ）は、ランダム・アクセス・プリアンブルを伝送することができる。
【００８８】
局面では、（与えられた任意の時間において、チャネルが周波数において隣接しているか、あるいは、一定間隔をなす）単一キャリア波形の低ＰＡＲ特性を維持するチャネル構造が提供される。
【００８９】
本明細書に記載の実施形態は、ハードウェア、ソフトウェア、ファームウェア、ミドルウェア、マイクロコード、あるいはそれらの任意の組み合わせで実現されうることが理解されるべきである。ハードウェアで実現される場合、処理ユニットが、１または複数の特定用途向け集積回路（ＡＳＩＣ）、デジタル信号プロセッサ（ＤＳＰ）、デジタル信号処理デバイス（ＤＳＰＤ）、プログラマブル・ロジック・デバイス（ＰＬＤ）、フィールド・プログラマブル・ゲート・アレイ（ＦＰＧＡ）、プロセッサ、コントローラ、マイクロ・コントローラ、マイクロプロセッサ、本明細書に記載の技術を実行するために設計されたその他の電子ユニット、あるいはこれらの組み合わせ内に実装されうる。
【００９０】
実施形態が、ソフトウェア、ファームウェア、ミドルウェアあるいはマイクロコード・プログラム・コードあるいはかコード・セグメントにおいて実現される場合、例えばストレージ要素のような機械読取可能媒体に格納されうる。コード・セグメントは、手順、関数、サブプログラム、プログラム、ルーチン、サブルーチン、モジュール、ソフトウェア・パッケージ、クラス、あるいは、命令群、データ構造、またはプログラム・ステートメントの任意の組み合わせを表しうる。コード・セグメントは、情報、データ、引数、パラメータ、またはメモリ・コンテンツの引き渡しおよび／または受け取りを行うことによって、別のコード・セグメントまたはハードウェア回路に接続されうる。情報、引数、パラメータ、データ等は、メモリ共有、メッセージ引渡し、トークン引渡し、ネットワーク送信等を含む任意の適切な手段を用いて引渡し、転送、あるいは送信がなされうる。
【００９１】
ソフトウェアで実現する場合、本明細書に記載の技術は、本明細書に記載の機能を実行するモジュール（例えば、手順、関数等）を用いて実現されうる。ソフトウェア・コードは、メモリ・ユニット内に格納され、プロセッサによって実行されうる。メモリ・ユニットは、プロセッサ内、あるいは、プロセッサ外に実装されうる。プロセッサ外に実装される場合、メモリ・ユニットは、当該技術分野で周知のさまざまな手段によってプロセッサへ通信可能に接続されうる。
【００９２】
図９に示すように、無線通信環境に関連するモバイル・デバイスにおける異なるスリープ・モード間の移行を容易にするシステム９００が例示される。例えば、システム９００は、モバイル・デバイス（例えば、１１６）内に少なくとも部分的に存在しうる。システム９００は、プロセッサ、ソフトウェア、またはこれらの組み合わせ（例えば、ファームウェア）によって実現される機能を表す機能ブロックでありうる機能ブロックを含むものとして表されることが認識されるべきである。システム９００は、連携して動作する電子構成要素の論理グループ９０２を含む。
【００９３】
例えば、論理グルーピング９０２は、予め定められたスリープ・モード基準に部分的に基づいてスリープ・モードを選択する電子構成要素９０４を含みうる。ここで、スリープ・モードは、ＬＳモード、ＤＳモード、または非スリープ・モード（例えば、ＣＲＸモード）でありうる。例えば、スリープ・モードの選択は、あるスリープ・モードから別のスリープ・モードへ切り換わることを含みうる。局面によれば、非スリープ・モードは、ＬＳモードに関連する特別なモードとして考えられ、非スリープ・モードの場合、「オフ」期間は、モバイル・デバイス（例えば、１１６）が「オン」状態に連続してあることができるように、ゼロに設定されうる。さらに、論理グルーピング９０２は、スリープ・モードに関連するシグナリングのための電子構成要素９０６を含みうる。例えば、このシグナリングは、（例えば、制御シグナルのような）明示的なシグナリングおよび／または（例えば、予め定められたスリープ・モード基準に関連する予め定められた条件が満たされる）非明示的なシグナリングを備えうる。それに加えて、システム９００は、電子構成要素９０４、９０６に関連する機能を実行するための命令群を保持するメモリ９０８を含みうる。メモリ９０８の外側にあるように示されているが、これら電子構成要素９０４、９０６のうちの１または複数は、メモリ９０８内に存在しうることが理解されるべきである。
【００９４】
図１０に示すように、無線通信環境に関連するモバイル・デバイスにおける異なるスリープ・モード間の移行を容易にするシステム１０００が例示されている。システム１０００は、例えば、基地局（例えば１０２）内に存在することができる。図示するように、システム１０００は、プロセッサ、ソフトウェア、またはこれらの組み合わせ（例えば、ファームウェア）によって実現される機能を表す機能ブロックを含む。システム１０００は、連携して動作することが可能な電子構成要素の論理グルーピング１００２を含む。論理グルーピング１００２は、予め定められたスリープ・モード基準に部分的に基づいてスリープ・モードを選択する電子構成要素１００４を含みうる。ここで、スリープ・モードは、ＬＳモード、ＤＳモード、または非スリープ・モード（例えば、ＣＲＸモード）でありうる。例えば、スリープ・モードの選択は、基地局に関連するモバイル・デバイス（例えば、１１６）におけるあるスリープ・モードから別のスリープ・モードへの切り換えを含みうる。局面によれば、非スリープ・モードは、ＬＳモードに関連する特別なモードであると考えられる。非スリープ・モードの場合、「オフ」期間は、モバイル・デバイス（例えば、１１６）が連続して「オン」状態にあるように、ゼロに設定されうる。さらに、論理グルーピング１００２は、スリープ・モードに関連するシグナリングのための電子構成要素１００６を備えうる。例えば、シグナリングは、（例えば、制御信号のような）明示的なシグナリング、および／または、（例えば、予め定められたスリープ・モード基準に関連する予め定められた条件が満たされた）非明示的なシグナリングを備えうる。さらに、論理グルーピング１００２は、データ送信をスケジュールするための電子構成要素１００８を含みうる。例えば、データ送信のスケジューリングは、基地局とモバイル・デバイスとの間の制御情報および／またはデータのアップリンク送信およびダウンリンク送信に関連しうる。データ送信のスケジューリングによって、データ送信は、モバイル・デバイスがダウンリンク送信について「オン」期間にあり、アップリンク送信について「オン」期間にある場合、時々実行されるようになる。データ伝送のスケジューリングは、モバイル・デバイス（例えば、１１６）に関連するスリープ・モードに部分的に基づきうる。さらに、システム１０００は、電子構成要素１００４、１００６、１００８に関連する機能を実行するための命令群を保持するメモリ１０１０を含みうる。メモリ１０１０の外部にあるものとして示されているが、電子構成要素１００４、１００６、１００８のうちの１または複数は、メモリ１０１０内に存在しうることが理解されるべきである。
【００９５】
上述したものは、１または複数の実施形態の一例を含む。もちろん、前述した実施形態を説明する目的で、構成要素または方法論の考えられるすべての組み合わせを説明することは可能ではないが、当業者であれば、さまざまな実施形態のさらに多くの組み合わせおよび置き換えが可能であることを認識することができる。したがって、説明された実施形態は、特許請求の範囲の精神およびスコープに入るそのようなすべての変更、修正および変形を含むことが意図される。さらに、用語「含む」が詳細説明あるいは特許請求の範囲の何れかで使用されている限り、そのような用語は、特許請求の範囲における遷移語として適用される場合に「備える」と解釈されている用語「備える」と同様に、包括的であることが意図される。
以下に、本願出願の当初の特許請求の範囲に記載された発明を付記する。
［発明１］
スリープ・モードを選択することを促す方法であって、
スリープ・モードの選択を促すようにシグナリングすることと、
予め定められたスリープ・モード基準に部分的に基づいてスリープ・モードを選択することと
を備える方法。
［発明２］
前記予め定められたスリープ・モード基準は、利用可能なスリープ・モード、現在のスリープ・モード、モバイル・デバイスと基地局との間の最後のデータ交換からの時間長さ、現在のスリープ・モードから異なるスリープ・モードへの移行の指示のうちの少なくとも１つ、またはこれらの組み合わせに部分的に基づく発明１に記載の方法。
［発明３］
前記シグナリングは、明示的なシグナル、非明示的なシグナルうちの少なくとも１つ、またはこれらの組み合わせに関連する発明１に記載の方法。
［発明４］
前記明示的なシグナルは、モバイル・デバイスに対して、現在のスリープ・モードから異なるスリープ・モードへと切り換わるように指示する、基地局からモバイル・デバイスへのメッセージである発明３に記載の方法。
［発明５］
前記非明示的なシグナルは、前記モバイル・デバイスに関連する少なくとも１つの条件に関連する発明３に記載の方法。
［発明６］
前記条件は、モバイル・デバイスと基地局との間の最後のデータ交換からの時間の長さに関連する発明５に記載の方法。
［発明７］
スリープ・モードを選択することに関する情報を評価することと、
第１のスリープ・モードから別のスリープ・モードへの移行が実行されるかを判定することと
をさらに備える発明１に記載の方法。
［発明８］
発明１に記載の方法を実行するように構成された電子デバイス。
［発明９］
予め定められたスリープ・モード基準に部分的に基づいてスリープ・モードを選択することに関連する命令群を保持するメモリと、
前記メモリに接続され、前記メモリに保持された命令群を実行するように構成されたプロセッサと
を備える無線通信装置。
［発明１０］
前記予め定められたスリープ・モード基準は、前記無線通信装置と基地局との間のデータ交換からの時間の長さ、現在のスリープ・モード状態、利用可能なスリープ・モード状態、前記現在のスリープ・モード状態から別のスリープ・モード状態へ移行せよとの明示的なシグナル、またはこれらの組み合わせのうちの少なくとも１つに関連する発明９に記載の無線通信装置。
［発明１１］
前記メモリはさらに、第１のスリープ・モードと、少なくとも１つの他のスリープ・モードとに関連する命令群を保持し、
前記第１のスリープ・モードは、非スリープ・モード、ライト・スリープ・モード、またはディープ・スリープ・モードのうちの１つであり、
前記少なくとも１つの他のスリープ・モードは、前記第１のスリープ・モードとは異なり、非スリープ・モード、ライト・スリープ・モード、またはディープ・スリープ・モードのうちの１つである発明９に記載の無線通信装置。
［発明１２］
前記メモリは、スリープ・モードを選択することに関連する情報を分析することに関連する命令群を保持する発明９に記載の無線通信装置。
［発明１３］
前記無線通信装置は、ライト・スリープ・モードまたは非スリープ・モードのうちの少なくとも１つにある場合、データまたは制御情報のうちの少なくとも１つ、あるいはこれらの組み合わせを交換することができ、ディープ・スリープ・モードにある場合、制御情報を交換することができる発明９に記載の無線通信装置。
［発明１４］
スリープ・モードの選択を促す無線通信装置であって、
スリープ・モードの選択を促すようにシグナリングする手段と、
予め定められたスリープ・モード基準に部分的に基づいてスリープ・モードを選択する手段と
を備える無線通信装置。
［発明１５］
前記スリープ・モードを選択する手段はさらに、第１のスリープ・モードから別のスリープ・モードへ移行することをさらに備え、
前記第１のスリープ・モードは、非スリープ・モード、ライト・スリープ・モード、またはディープ・スリープ・モードのうちの１つであり、
前記少なくとも１つの他のスリープ・モードは前記第１のスリープ・モードとは異なり、非スリープ・モード、ライト・スリープ・モード、またはディープ・スリープ・モードのうちの１つである発明１４に記載の無線通信装置。
［発明１６］
前記予め定められたスリープ・モード基準は、利用可能なスリープ・モード、現在のスリープ・モード、モバイル・デバイスと基地局との間の最後のデータ交換からの時間の長さ、または、現在のスリープ・モードから他のスリープ・モードへ移行せよとの指示のうちの少なくとも１つ、あるいは、これらの組み合わせに関連する発明１４に記載の無線通信装置。
［発明１７］
スリープ・モードを選択することに関連する情報を分析する手段をさらに備える発明１４に記載の無線通信装置。
［発明１８］
第１のスリープ・モードから他のスリープ・モードへの移行を促すようにシグナリングし、
予め定められたスリープ・モード基準に部分的に基づいてスリープ・モードを選択する
ための機械実行可能な命令群を格納して有する機械読取可能媒体。
［発明１９］
前記第１のスリープ・モードは、非スリープ・モード、ライト・スリープ・モード、またはディープ・スリープ・モードのうちの１つであり、
少なくとも１つの前記他のスリープ・モードは、非スリープ・モード、ライト・スリープ・モード、またはディープ・スリープ・モードのうちの１つである
発明１８に記載の機械読取可能媒体。
［発明２０］
前記機械実行可能な命令群はさらに、
前記第１のスリープ・モードから他のスリープ・モードへの移行に関連するシグナルを受信することと、
前記第１のスリープ・モードから他のスリープ・モードへ移行することと
を備える発明１８に記載の機械読取可能媒体。
［発明２１］
前記予め定められたスリープ・モード基準は、利用可能なスリープ・モード、現在のスリープ・モード、モバイル・デバイスと基地局との間の最後のデータ交換からの時間長さ、または、現在のスリープ・モードから異なるスリープ・モードへの移行の指示のうちの少なくとも１つ、あるいはこれらの組み合わせに部分的に基づく発明１８に記載の機械読取可能媒体。
［発明２２］
無線通信システムにおける装置であって、
予め定められたスリープ・モード基準に部分的に基づいて条件が満たされた場合、スリープ・モードを選択するようにシグナルし、予め定められたスリープ・モード基準に部分的に基づいてスリープ・モードを選択するように構成されたプロセッサを備える装置。
［発明２３］
前記シグナルは、前記装置と他の装置との間のデータ交換から経過した時間の長さに部分的に基づく非明示的なシグナルである発明２２に記載の装置。
［発明２４］
モバイル・デバイスに関連するスリープ・モード移行を促す方法であって、
前記モバイル・デバイスに関連するスリープ・モード移行に関連する情報を評価することと、
予め定められたスリープ・モード基準に部分的に基づいて、第１のスリープ・モードから他のスリープ・モードへの移行を促すシグナルを送信することと
を備える方法。
［発明２５］
前記第１のスリープ・モードから他のスリープ・モードへの移行が実行されるべきかを、前記予め定められたスリープ・モード基準に部分的に基づいて判定することをさらに備える発明２４に記載の方法。
［発明２６］
スリープ・モード移行に関連する情報は、前記モバイル・デバイスと基地局との間で生じたデータ交換から経過した時間の長さに関連する情報を含む発明２４に記載の方法。
［発明２７］
前記シグナルは、前記モバイル・デバイスに対して第１のスリープ・モードから他のスリープ・モードへ移行するように命令するメッセージを備える明示的なシグナルである発明２４に記載の方法。
［発明２８］
前記予め定められたスリープ・モード基準は、利用可能なスリープ・モード、現在のスリープ・モード、モバイル・デバイスと基地局との間の最後のデータ交換からの時間の長さ、または、現在のスリープ・モードから他のスリープ・モードへ移行せよとの命令のうちの少なくとも１つ、あるいはこれらの組み合わせに関連する発明２４に記載の方法。
［発明２９］
スリープ・モードを選択することに関連するシグナリングをすることと、予め定められたスリープ・モード基準に部分的に基づいて、モバイル・デバイスに関連するスリープ・モードを選択することとに関連する命令群を保持するメモリと、
前記メモリに接続され、前記メモリに保持された命令群を実行するように構成されたプロセッサと
を備える無線通信装置。
［発明３０］
前記メモリはさらに、
前記スリープ・モードを選択することと、選択するためのスリープ・モードを、前記予め定められたスリープ・モード基準に部分的に基づいて決定することとに関連する情報を評価することに関連する命令群を保持する発明２９に記載の無線通信装置。
［発明３１］
前記シグナリングすることは、選択されるべき異なるスリープ・モードを示す明示的なシグナル、非明示的なシグナルのうちの少なくとも１つ、またはこれらの組み合わせである発明２９に記載の無線通信装置。
［発明３２］
前記メモリはさらに、前記モバイル・デバイスに関連するデータ交換をスケジュールすることに関連する命令群を保持する発明２９に記載の無線通信装置。
［発明３３］
前記予め定められたスリープ・モード基準は、利用可能なスリープ・モード、現在のスリープ・モード、モバイル・デバイスと基地局との間の最後のデータ交換からの時間の長さ、または、現在のスリープ・モードから異なるスリープ・モードへ移行するようにとの指示のうちの少なくとも１つ、あるいはこれらの組み合わせに基づく発明２９に記載の無線通信装置。
［発明３４］
無線通信環境におけるモバイル・デバイスに関するスリープ・モードの選択を促す無線通信装置であって、
スリープ・モードの選択を促すようにシグナリングする手段と、
予め定められたスリープ・モード基準に部分的に基づいてスリープ・モードを選択する手段と
を備える無線通信装置。
［発明３５］
データ送信をスケジューリングする手段をさらに備える発明３４に記載の無線通信装置。
［発明３６］
前記予め定められたスリープ・モード基準は、利用可能なスリープ・モード、現在のスリープ・モード、モバイル・デバイスと基地局との間の最後のデータ交換からの時間の長さ、または、現在のスリープ・モードから他のスリープ・モードへ移行せよとの指示のうちの少なくとも１つ、あるいは、これらの組み合わせに部分的に基づく発明３４に記載の無線通信装置。
［発明３７］
前記スリープ・モードは、非スリープ・モード、ライト・スリープ・モード、または、ディープ・スリープ・モードのうちの少なくとも１つである発明３４に記載の無線通信装置。
［発明３８］
前記予め定められたスリープ・モード基準は、前記非スリープ・モードと前記ライト・スリープ・モードとの間の移行に関する第１の条件のセットと、前記ライト・スリープ・モードと前記ディープ・スリープ・モードとの間の移行に関する異なる条件のセットとを備える発明３７に記載の無線通信装置。
［発明３９］
特定のスリープ・モードへの移行に関する情報を、予め定められたスリープ・モード基準に部分的に基づいて評価し、
前記予め定められたスリープ・モード基準に関する移行のための条件が満たされている場合、前記特定のスリープ・モードへの移行をシグナリングする
ための機械実行可能な命令群を格納して有する機械読取媒体。
［発明４０］
前記予め定められたスリープ・モード基準は、利用可能なスリープ・モード、現在のスリープ・モード、モバイル・デバイスと基地局との間の最後のデータ交換からの時間の長さ、または、現在のスリープ・モードから他のスリープ・モードへ移行せよとの指示のうちの少なくとも１つ、あるいは、これらの組み合わせに部分的に基づく発明３９に記載の機械読取媒体。
［発明４１］
前記機械実行可能な命令群はさらに、モバイル・デバイスに関するデータ交換から経過した時間の長さを追跡することを備える発明３９に記載の機械読取媒体。
［発明４２］
無線通信システムにおける装置であって、
スリープ・モード移行に関する情報を、スリープ・モード基準に部分的に基づいて評価し、モバイル・デバイスに関するスリープ・モードを選択し、移行に関する少なくとも１つのシグナルを、異なるスリープ・モードへ送信し、前記モバイル・デバイスに関連するデータ交換をスケジュールするように構成されたプロセッサを備える無線通信システム。
【図１】
0005886073.tif 000002
【図２】
0005886073.tif 000003
【図３】
0005886073.tif 000004
【図４】
0005886073.tif 000005
【図５】
0005886073.tif 000006
【図６】
0005886073.tif 000007
【図７】
0005886073.tif 000008
【図８】
0005886073.tif 000009
【図９】
0005886073.tif 000010
【図１０】
0005886073.tif 000011